(57)【要約】【課題】携帯電話の振れを小さくできる首吊り下げができ且つ首に下げた携帯電話等の引き上げ引き下げ操作が身体の前方で簡単に行える携帯電話等の下げ具を提供することを目的としている。【解決手段】移動係留体５を下方に移しループ部３を頭が通る大きさにして首に掛ける。一方の手で装飾体６と移動係留体５を片手で摘み可動体２３を押し込み、他方の手で抜け防止部材９、１０を合わせ握り、移動係留体５を上下させて可動体２３を離し下げた携帯電話７を好みの位置に留め置く。【選択図】図１
2006055627.tif 000002
【特許請求の範囲】
【請求項１】
ロープと、
このロープを通すとともに該ロープ上を移動させることができ且つ好みの位置に係留することができるロープ係留部を有する移動係留体と、
携帯電話、小型カメラ、デジタルカメラ、ＭＤ・ＭＰ・ＣＤ・カセットプレイヤー、ボイスレコーダやＩＣカード・名札などの携帯電話等を、前記移動係留体とともに前記ロープ上を移動させ且つ好みの位置に係留することができるようにするための携帯電話等取付け手段と、
以上のごとく構成されてなることを特徴とする携帯電話等の下げ具。
【請求項２】
移動係留体が、ロープを通す固定ロープ通し孔を有するストッパー本体と、ストッパー本体内に可動可能に設けられた前記固定ロープ通し孔に通された前記ロープを通す可動ロープ通し孔を有する可動体と、この可動体を常に付勢状態とする付勢手段とからなるとともに、前記固定ロープ通し孔と前記可動ロープ通し孔に通されたロープが、前記可動体がフリーの状態では該可動体が付勢状態となっているので、前記固定ロープ通し孔と前記可動ロープ通し孔がズレ付勢でロープを挟持してロックされてロープ上に係留状態となり、前記可動体を指で押し込むと前記固定ロープ通し孔と前記可動ロープ通し孔は重なり状態となり、ロープは移動自在のロック解除状態となってロープ上を移動させることができるロープストッパーであることを特徴とする請求項１記載の携帯電話等の下げ具。
【請求項３】
ロープの下部が分離されて該ロープの一方の下部に磁石が設けられ、該ロープのもう一方の下部に前記磁石の磁力で該磁石に磁着する磁着材を設けてなることを特徴とする請求項１、２いずれか記載の携帯電話等の下げ具。
【請求項４】
携帯電話等取付け手段が携帯電話等をワイヤで吊り下げるための該ワイヤを掛けるワイヤ掛け部あるいはワイヤであることを特徴とする請求項１、２、３いずれか記載の携帯電話等の下げ具。
【請求項５】
携帯電話等取付け手段が吊り下げた携帯電話等が回り裏返しとならないようにするために、帯部材で吊り下げるための帯部材掛け部あるいは帯部材であることを特徴とする請求項１、２、３いずれか記載の携帯電話等の下げ具。
【請求項６】
携帯電話等取付け手段が移動係留体に設けられた、携帯電話等を接着取付けるための粘着剤を含む接着部であることを特徴とする請求項１、２、３記載の携帯電話等の下げ具。
【請求項７】
携帯電話等取付け手段が、携帯電話等に設けられた移動係留体取付け部に移動係留体を着脱自在に係わり合って取付けるフックとフック掛け部、嵌合挿入体と嵌合受け体、安全ピンとピン受けなどの係合構成であることを特徴とする請求項１、２、３いずれか記載の携帯電話等の下げ具。
【請求項８】
携帯電話等のワイヤ掛け部と移動係留体を繋ぐためのワイヤ掛け部あるいはワイヤを前記移動係留体に設けてなることを特徴とする請求項６、７いずれか記載の携帯電話等の下げ具。
【請求項９】
移動係留体に、吊ロープを取付けた携帯電話等の該吊ロープを移動停止操作可能に吊り落としロープストッパーを設けてなり、前記吊り落としロープストッパーに前記吊ロープを通して前記携帯電話等を吊り状態にするとともに、前記吊り落としロープストッパーのロープロック状態を指で解除することにより前記携帯電話等を落とすことができるようにしてなることを特徴とする請求項１、２、３、６、７いずれか記載の携帯電話等の下げ具。
【請求項１０】
ロープと、
このロープの一方の側と他方の側を通して該ロープに首を入れる首掛けループ部を形成するとともに、該ロープ上を移動可能且つ該ロープ上に係留しておくことができる移動係留部と、
この移動係留部と一体となって上下移動させられる装飾移動係留体とからなり、
前記装飾移動係留体を携帯電話等とすることを特徴とするループタイ。
【請求項１１】
請求項１〜９いずれか記載の携帯電話等の下げ具がループタイであることを特徴とするループタイ。
【請求項１２】
ロープ係留部を携帯電話等の背部に取付ける粘着部や着脱自在の係合構成である係わり合い取付け手段などの携帯電話等取付け手段を有し、携帯電話等自体を移動係留体とする請求項１１記載のループタイ。
【請求項１３】
携帯電話等を収納するケース本体と、
このケース本体に設けられた、首に掛けるロープ、このロープにより首に掛けるための首掛けループ部を形成し且つ該首掛けループ部の大きさを自在に変えることができるようにするための、前記ロープを通すとともに該ロープ上を前記ケース本体が携帯電話等を収納したまま移動させることができ且つ好みの位置に係留することができるようにするためのロープ係留部を有する移動係留体とからなることを特徴とする移動係留体付きケース。
【請求項１４】
ケース本体が底無し形態であって、吊ロープを取付けた携帯電話等の該吊ロープを移動停止操作可能に吊り落としロープストッパーを設けてなり、前記吊り落としロープストッパーに前記吊ロープを通して前記携帯電話等を前記ケース本体内に吊り状態で収納するとともに、前記吊り落としロープストッパーのロープロック状態を指で解除することにより前記携帯電話等を前記ケース本体から落とし出すことができるようにしてなることを特徴とする請求項１３記載の移動係留体付きケース。
【請求項１５】
携帯電話等本体と、
この携帯電話等本体に設けられた、ロープストッパーなどの移動係留体を直接取付けるための粘着部取付け部位や係止部位などの移動係留体取付け部とからなり、
首に掛けるロープを前記移動係留体取付け部に取付けた前記移動係留体のロープ通し部に前記ロープを通すとともに携帯電話等を該ロープ上を移動させることができ且つ好みの位置に係留することができるようにしてなることを特徴とする移動係留体取付け部付き携帯電話等。
【請求項１６】
携帯電話等本体と、
この携帯電話等本体に設けられたあるいは設けるように該携帯電話等本体に添付されたロープストッパーなどの移動係留体とからなり、
首に掛けるロープを前記移動係留体のロープ通し部に前記ロープを通すとともに携帯電話等を該ロープ上を移動させることができ且つ好みの位置に係留することができるようにしてなることを特徴とする移動係留体取付け部付き携帯電話等。
【請求項１７】
ロープを通す固定ロープ通し孔を有するストッパー本体と、
ストッパー本体内に可動可能に設けられた前記固定ロープ通し孔に通された前記ロープを通す可動ロープ通し孔を有する可動体と、
この可動体を常に付勢状態とする付勢手段と、
前記ストッパー本体に設けられた、携帯電話等をワイヤで吊り下げるための該ワイヤを掛けるワイヤ掛け部あるいはワイヤである携帯電話等取付け手段とからなり、
前記固定ロープ通し孔と前記可動ロープ通し孔に通されたロープが、前記可動体がフリーの状態では該可動体が付勢状態となっているので、前記固定ロープ通し孔と前記可動ロープ通し孔がズレ付勢でロープを挟持してロックされてロープ上に係留状態となり、前記可動体を指で押し込むと前記固定ロープ通し孔と前記可動ロープ通し孔は重なり状態となり、ロープは移動自在のロック解除状態となってロープ上を移動させることができることを特徴とするロープストッパー。
【請求項１８】
携帯電話等取付け手段が吊り下げた携帯電話等が回り裏返しとならないようにするために、帯部材で吊り下げるための帯部材掛け部あるいは帯部材であることを特徴とする請求項１７記載の特徴とするロープストッパー。
【請求項１９】
携帯電話等取付け手段が移動係留体に設けられた、携帯電話等を接着取付けるための粘着剤を含む接着部であることを特徴とする請求項１７記載の特徴とするロープストッパー。
【請求項２０】
携帯電話等取付け手段が、携帯電話等取付け手段が、携帯電話等に設けられた移動係留体取付け部にストッパー本体を着脱自在に係わり合って取付ける係合構成であることを特徴とする請求項１７記載のロープストッパー。
【請求項２１】
ロープを通す固定ロープ通し孔を有するストッパー本体と、
ストッパー本体内に可動可能に設けられた前記固定ロープ通し孔に通された前記ロープを通す可動ロープ通し孔を有する可動体と、
この可動体を常に付勢状態とする付勢手段と、
前記ストッパー本体に設けられた、吊ロープを取付けた携帯電話等の該吊ロープを移動停止操作可能に吊る落としロープストッパー部とからなり、
この落としロープストッパー部に前記吊ロープを通して前記携帯電話等を吊り状態にするとともに、前記落としロープストッパー部のロープロック状態を指で解除することにより前記携帯電話等を落とすことができるとともに、前記固定ロープ通し孔と前記可動ロープ通し孔に通されたロープが、前記可動体がフリーの状態では該可動体が付勢状態となっているので、前記固定ロープ通し孔と前記可動ロープ通し孔がズレ付勢でロープを挟持してロックされてロープ上に係留状態となり、前記可動体を指で押し込むと前記固定ロープ通し孔と前記可動ロープ通し孔は重なり状態となり、ロープは移動自在のロック解除状態となってロープ上を移動させることができるようにしてなることを特徴とするロープストッパー。
【請求項２３】
ロープを通すとともに該ロープ上を移動させることができ且つ好みの位置に係留することができるロープ係留部を有する移動係留体、携帯電話等がこの移動係留体と一体となって移動するように設けられ、前記移動係留体および携帯電話等を首から下げた状態において該移動係留体を身体の前方で操作して前記ロープ上を上下に移動させることで前記携帯電話等を上下に移動させるとともに、前記移動係留体の前記ロープ上の任意の上下位置での停止係留により前記携帯電話を好みの上下位置に係留しておくことができるようにしてなることを特徴とする携帯電話等の携帯方法。
【請求項２４】
ロープと、
このロープの下方に設けられた携帯電話等を吊り下げるための携帯電話等吊り下げ部と、
前記ロープを通すとともに該ロープ上を移動させることができ且つ好みの位置に係留することができるロープ係留部を有する移動係留体と、
この移動係留体に設けられた、前記携帯電話等に設けられたフック、フック掛け部、磁石、面ファスナなどの吊られ側係合手段、この吊られ側係合手段と係わり合って前記携帯電話等を前記移動係留体に着脱自在に係止する移動係留体側係合手段と、
以上のごとく構成されてなることを特徴とする携帯電話等の下げ具。
【請求項２５】
ロープと、
このロープの下方に設けられた、巻取り付勢力により携帯電話等を吊り下げるワイヤを巻き取っている付勢巻取り手段と、
前記ロープを通すとともに該ロープ上を移動させることができ且つ好みの位置に係留することができるロープ係留部を有する移動係留体と、
以上のごとく構成されてなることを特徴とする携帯電話等の下げ具。
【請求項２６】
ロープと、
このロープを通すとともに該ロープ上を移動させることができ且つ好みの位置に係留することができるロープ係留部を有する移動係留体と、
この移動係留体に固定されたり吊られたりして設けられた、巻取り付勢力により携帯電話等を吊り下げるワイヤを巻き取っている付勢巻取り手段と、
以上のごとく構成されてなることを特徴とする携帯電話等の下げ具。
【請求項２７】
前記ロープの先端を衣類の襟等にクリップ等で係止できる等が行えるよう、ロープの先端が分離され首掛けループ部が形成されないようにしてなるものであることを特徴とする請求項１〜９、２４、２６いずれか記載の携帯電話等の下げ具。
【請求項２８】
ストッパー本体あるいは可動体が、携帯者の胸元などの身体に当たった場合に、突き出たものが当たっているという突出物当り感を感じないように、幅広形態に形成されてなりあるいはロープを細紐、薄平紐などにすることで薄形態に形成されてなるものであることを特徴とする請求項１７〜２２いずれか記載のロープストッパー。
【請求項２９】
ロープ上に支持されて該ロープ上を移動可能且つ好みの位置に係留できるストッパー本体と、
このストッパー本体に設けられた前記ロープのロックと解除を行う可動体と、
この可動体あるいは前記ストッパー本体から下げるように設けられた下げ部と、
この下げ部に設けられた携帯電話等を取付けるための携帯電話等取付け手段とからなり、
前記吊るされた携帯電話等の上方に前記ストッパー本体が位置するようにしてなることを特徴とするロープストッパー。
【請求項３０】
ロープ上に支持されて該ロープ上を移動可能且つ好みの位置に係留できるストッパー本体と、
このストッパー本体に設けられた前記ロープのロックと解除を行う可動体と、
この可動体あるいは前記ストッパー本体から下げるように設けられた、携帯電話等の吊るされる側連結部に着脱自在に嵌合連結される嵌合連結部とからなり、
前記吊るされる側連結部に前記嵌合連結部を連結した状態において、吊るされた携帯電話等の上方に前記ストッパー本体が位置するようにしてなることを特徴とするロープストッパー。
【請求項３１】
板部材やシート部材などからなる連結具本体と、
この連結具の上部に設けられた、ロープ上に支持されて該ロープ上を移動可能且つ好みの位置に係留できる移動係留体を取付ける移動係留体取付け部と、
前記連結具本体の下方に設けられた、携帯電話等を取付けるための携帯電話等取付け手段とからなることを特徴とする移動係留体と携帯電話等の連結具。
【請求項３２】
携帯電話等取付け手段が、携帯電話等の吊るされる側連結部に着脱自在に嵌合連結される嵌合連結部であることを特徴とする請求項３１記載の移動係留体と携帯電話等の連結具。
【請求項３３】
連結具本体の上部に移動係留体に通されたロープを通すためのロープ通し部が設けられてなることを特徴とする請求項３１、３２いずれか記載の移動係留体と携帯電話等の連結具。
【請求項３４】
取付けた携帯電話等と身体間に位置されて、固い携帯電話等や移動係留体の身体への当りをソフトな当りにするためのソフトパットを設けてなることを特徴とする請求項３１、３２、３３いずれか記載の移動係留体と携帯電話等の連結具。
【請求項３５】
取付けた携帯電話等と身体間に位置されて、固い携帯電話等や移動係留体の身体への当りをソフトな当りにするためのソフトパットを設けてなることを特徴とする請求項１〜９、２４〜２７いずれか記載の携帯電話等の下げ具。
【請求項３６】
取付けた携帯電話等と身体間に位置されて、固い携帯電話等や移動係留体の身体への当りをソフトな当りにするためのソフトパットを設けてなることを特徴とする請求項１７〜２２、２８〜３０いずれか記載のロープストッパー。
ソフトパットは携帯電話等より少し小さめのもの、携帯電話等より大きいもの、移動係留体の背部に設けた移動係留体と同じような大きなものなど多様な大きさが含まれる。
【請求項３７】
携帯電話等に取付けた首に下げた状態で、移動係留体本体を該携帯電話等の背部に略突き出さない状態で上方に支持するとともに、前記移動係留体本体を取り外す、添え板の取り外し、前記移動係留体の回動による避け動作などにより、前記移動係留体本体が携帯電話等の充電などの邪魔にならないようにしてなることを特徴とする請求項３１、３２、３３、３４いずれか記載の移動係留体と携帯電話等の連結具。
【請求項３８】
携帯電話等に取付けた首に下げた状態で、移動係留体本体を該携帯電話等の背部に略突き出さない状態で上方に支持するとともに、前記移動係留体本体を取り外す、添え板の取り外し、前記移動係留体の回動による避け動作などにより、前記移動係留体本体が携帯電話等の充電などの邪魔にならないようにしてなることを特徴とする請求項１〜９、２４〜２７、３５いずれか記載の携帯電話等の下げ具。
【請求項３９】
携帯電話等に取付けた首に下げた状態で、移動係留体本体を該携帯電話等の背部に略突き出さない状態で上方に支持するとともに、前記移動係留体本体を取り外す、添え板の取り外し、前記移動係留体の回動による避け動作などにより、前記移動係留体本体が携帯電話等の充電などの邪魔にならないようにしてなることを特徴とする請求項３１、３２、３３、３４、３７いずれか記載の移動係留体と携帯電話等の連結具。
【請求項４０】
移動係留体上方のロープ上に他の移動係留体からなる首掛けループ部を形成するループ形成体を設けてなることを特徴とする請求項１〜９、２４〜２７、３５、３８いずれか記載の携帯電話等の下げ具。
【請求項４１】
移動係留体に携帯電話等に接続したイヤホンケーブルなどの送信ケーブルを係合する送信ケーブル係合部を設けてなることを特徴とする請求項１〜９、２４〜２７、３５、３８、４０いずれか記載の携帯電話等の下げ具。
【請求項４２】
携帯電話等に接続したイヤホンケーブルなどの送信ケーブルを挟持したり収納したりして係合する送信ケーブル係合部を設けてなることを特徴とする請求項１７〜２２、２８〜３０いずれか記載のロープストッパー。
【請求項４３】
携帯電話等に接続したイヤホンケーブルなどの送信ケーブルを挟持したり収納したりして係合する送信ケーブル係合部を設けてなることを特徴とする請求項３１、３２、３３、３４、３７、３９いずれか記載の移動係留体と携帯電話等の連結具。
【請求項４４】
ロープの垂れる一方の端部に磁石を設け、もう一方の端部に他の磁石や鉄部材などの前記磁石に磁着する磁着部材を設けてなることを特徴とする請求項１〜９、２４〜２７、３５、３８、４０、４１いずれか記載の携帯電話等の下げ具。
【発明の詳細な説明】
【技術分野】
【０００１】
本発明は、主に携帯電話、小型カメラ、デジタルカメラ、ＭＤ・ＭＰ・ＣＤ・カセットプレイヤー、ボイスレコーダや名札など（以下「携帯電話等」という。）の携帯電話等の下げ具、ループタイ、移動係留体取付け部付き携帯電話等、移動係留体付き携帯電話等、移動係留体付きケース、ロープストッパー並びに携帯電話等の携帯方法に関する。
【背景技術】
【０００２】
従来次のような技術が知られている。
（１）携帯電話等を首に吊下げるものとして首掛けロープ（紐、ロープ、ワイヤ、革紐など多様な形態のものを含む概念である。）の先端に細ワイヤからなる携帯電話等取付け手段を設け、首掛けループ部を形成し且つ該首掛けループ部を広げたり狭めたりするための首掛けロープに支持案内されて移動自在で且つ好みの部位で動かないようにロックすることができるロープストッパーを設けなる携帯電話等首下げ具が知られている。
（２）前記ロープストッパーは一対から複数対の固定ロープ通し孔を有するストッパー本体と、このストッパー本体に内設した圧縮コイルバネからなる付勢手段により常に押し出し付勢されてなる可動ロープ通し孔を有する指で押し操作する可動体とからなっていて、固定ロープ通し孔と可動ロープ通し孔に通されたロープが、可動体がフリーの状態では該可動体が押され付勢状態となっているので、固定ロープ通し孔と可動ロープ通し孔がズレ付勢でロープを挟持してロック状態なり、可動体を指で押し込むと固定ロープ通し孔と可動ロープ通し孔は重なり状態となり、ロープは移動自在状態であるロック解除状態となるのでロープストッパーはロープ上を移動させることができるというものである。
（３）一方首に掛けるものとして、ロープ挟持部を有する装飾移動係留体をループロープの好みの位置に係留させることができ且つ移動させることができるようにしてなる、ネクタイに替えてビジネスアクセントとして使用されるループタイが知られている。
（４）また、携帯電話等には吊り携帯するための機構としては細いワイヤを掛けるワイヤ掛け部が設けられている。
（５）また、前記携帯電話等首下げ具の細ワイヤに替えてクリップを設けてなる、主に該クリップに名札を付ける名札等首下げ具が知られている。
【発明の開示】
【発明が解決しようとする課題】
【０００３】
前述した従来技術は次のような欠点を有していた。
（１）携帯電話等首下げ具
使用方法はロープストッパーを上に移動させて、該ロープストッパーの下方に大きいループ（首掛けループ）を形成し上方に小さいループを形成して、大きいループを首に掛けロープストッパーと小さいループを首の後ろに位置させて首にセットし、携帯電話等を引き上げるときは両手を首後ろに廻し一方の手でロープストッパーのロックを解除し、もう一方の手で小さいループを摘み後方に引いてロープを移動させて行い、携帯電話等を下げる場合は一方の手を首後ろに廻してロープストッパーのロックを解除し、もう一方の手で携帯電話等やロープを掴み下方に引いてロープを移動させて行うというものである。
それは、携帯電話等を首元側に引き上げてある場合は、携帯電話等を使用する都度に手を後ろに廻しロープストッパーを摘み押し携帯電話等をもう一方の手で引き下ろす操作をしなければならないので、大変使用し難いという欠点を有していた。
それは、首後ろでロープストッパーを操作するタイプであるため、首に掛ける首掛けループになる部位に吊違和感を軽減するたアクセントにするなどのための、ロープストッパーを取付けられない幅広バンド部材やチェーンなどを設けることができないという欠点があった。
また、臍あたりに携帯電話を吊り下げ置くものであるので、耳から５０ｃｍくらい距離があり、携帯電話の着信音を大きくしなければならないという欠点があった。
また、携帯電話等を細いワイヤで吊っているので、携帯電話等が振られるなどで裏返ってしまうという欠点を有するものであったし、ワイヤで吊られているのでその長さ分振りが大きくなるという欠点を有するものであった。
特に、首元に引き上げ係留した状態においても、細いワイヤによる吊であるために携帯電話等が回り裏返ってしまうので、携帯電話等をループタイの装飾体とすることができないという欠点があった。
また、イヤホンなどを付ける場合は、携帯電話等が大きく振れた状態では、大変不安定であり使用でき難いという欠点があった。
（２）ロープストッパー
単に首後ろに位置させて前方の携帯電話等の引き上げ引き降ろし操作を実現させて好みの位置に携帯電話を留め置く機能だけのものであった。
（３）ループタイ
ループタイはネクタイに替えてビジネスアクセントとして使用されるものであるが、係留移動体は磨き石や彫刻物などの装飾部材となっている。
（４）携帯電話等
女性、ビジネスマン、子供など誰でもが携帯電話等をファッションの積極的なアクセントとにでき且つ使用感の良い機構実現しているものではなかった。
特に、首に掛けるための構成は、細いワイヤを掛けるワイヤ掛け部のみであるので、吊り下げた携帯電話等が回って裏返った状態になってしまうので、アクセント、装飾体としては不満のあるものであった。
特に、首元に引き上げ係留した状態においても、細いワイヤによる吊であるために携帯電話等が回り裏返ってしまうので、携帯電話等をループタイの装飾体とすることができないという欠点があった。
（５）名札等首下げ具
名札が腹部のあたりに位置し大きく振れる上に裏返しになってしまう欠点があり、且つ、振れるのでファッション性、名札を良く見えるように見やすいようにするという点では不満のあるものであった。
【０００４】
本発明は以上のような従来技術の欠点に鑑みてなされたものであり、その目的は、首に下げた携帯電話等の引き上げ引き下げ操作が身体の前方で簡単に行える携帯電話等の下げ具、ループタイ、携帯電話等の下げ具、ループタイ、移動係留体取付け部付き携帯電話等、移動係留体付き携帯電話等、移動係留体付きケース、ロープストッパー並びに携帯電話等の携帯方法を提供することを目的としている。
また、本発明の他の目的は、首に下げた携帯電話等の振れを小さくできる且つ体の前方で簡単に携帯電話等の上げ下げ操作が行える携帯電話等の下げ具、ループタイ、携帯電話等の下げ具、ループタイ、移動係留体取付け部付き携帯電話等、移動係留体付き携帯電話等、移動係留体付きケース、ロープストッパー並びに携帯電話等の携帯方法を提供することを目的としている。
「移動係留体」にはロープストッパーを含むものである。
【０００５】
本発明の前記ならびのそのほかの目的と新規な特徴は次の説明を添付図面と照らし合わせて読むと、より完全に明らかになるであろう。
ただし、図面はもっぱら解説のためであって、本発明の技術的範囲をそれらに限定するものではない。
【課題を解決するための手段】
【０００６】
上記目的を達成するために本発明は次に述べるような構成となっている。
＜請求項１記載の発明＞
ロープと、
このロープを通すとともに該ロープ上を移動させることができ且つ好みの位置に係留することができるロープ係留部を有する移動係留体と、
携帯電話、小型カメラ、デジタルカメラ、ＭＤ・ＭＰ・ＣＤ・カセットプレイヤー、ボイスレコーダや名札などの携帯電話等を、前記移動係留体とともに前記ロープ上を移動させ且つ好みの位置に係留することができるようにするための携帯電話等取付け手段とで携帯電話等の下げ具を構成している。
本願発明で「移動係留体」は、従来技術で述べたようなロープストッパーも含まれる。
本願発明で「ロープ」は、太さは細いワイヤを含む細い紐状のものも太いものも技術的範疇に含み、その形態もバンド状、ベルト状、薄平状なども技術的範疇に含むものである。
本願発明で「首掛けループ部」は、ロープの先端が分離されていて該先端に先端同士を連結して首掛けループ部を形成する連結手段を有するものも技術的範疇に含まれるものである。
「移動させることができ」とは、見方によってはロープが移動係留体に係止された状態で移動させることができるともいえる。
＜請求項２記載の発明＞
請求項１記載の発明の構成において、移動係留体が、ロープを通す固定ロープ通し孔を有するストッパー本体と、ストッパー本体内に可動可能に設けられた前記固定ロープ通し孔に通された前記ロープを通す可動ロープ通し孔を有する可動体と、この可動体を常に付勢状態とする付勢手段とからなるとともに、前記固定ロープ通し孔と前記可動ロープ通し孔に通されたロープが、前記可動体がフリーの状態では該可動体が付勢状態となっているので、前記固定ロープ通し孔と前記可動ロープ通し孔がズレ付勢でロープを挟持してロックされてロープ上に係留状態となり、前記可動体を指で押し込むと前記固定ロープ通し孔と前記可動ロープ通し孔は重なり状態となり、ロープは移動自在のロック解除状態となってロープ上を移動させることができるロープストッパーである携帯電話等の下げ具を構成している。
可動体が複数で、通された複数のロープやロープ部位を夫々の可動体でロックおよびロック解除操作が行えるようにしてなるものも含まれる。
＜請求項３記載の発明＞
請求項１、２いずれか記載の発明の構成において、ロープの下部が分離されて該ロープの一方の下部に磁石が設けられ、該ロープのもう一方の下部に前記磁石の磁力で該磁石に磁着する磁着材を設けてなる携帯電話等の下げ具を構成している。
磁着材には磁石も含まれる。
「ロープの下部」に磁石、磁着材を設ける形態は、ロープ下端方に直接取付ける、ロープの下端にスプリングなどの弾性延長手段を設け該弾性延長手段の端方に設けるなどの形態が含まる。
＜請求項４記載の発明＞
請求項１、２、３いずれか記載の発明の構成において、携帯電話等取付け手段が携帯電話等をワイヤで吊り下げるための該ワイヤを掛けるワイヤ掛け部あるいはワイヤである携帯電話等の下げ具を構成している。
＜請求項５記載の発明＞
請求項１、２、３いずれか記載の発明の構成において、携帯電話等取付け手段が吊り下げた携帯電話等が回り裏返しとならないようにするために、帯部材で吊り下げるための帯部材掛け部あるいは帯部材である携帯電話等の下げ具を構成している。
＜請求項６記載の発明＞
請求項１、２、３いずれか記載の発明の構成において、携帯電話等取付け手段が移動係留体に設けられた、携帯電話等を接着取付けるための粘着剤を含む接着部である携帯電話等の下げ具を構成している。
＜請求項７記載の発明＞
請求項１、２、３いずれか記載の発明の構成において、携帯電話等取付け手段が、携帯電話等に設けられた移動係留体取付け部に移動係留体を着脱自在に係わり合って取付けるフックとフック掛け部、嵌合挿入体と嵌合受け体、安全ピンとピン受けなどの係合構成である携帯電話等の下げ具を構成している。
＜請求項８記載の発明＞
請求項６、７いずれか記載の発明の構成において、携帯電話等のワイヤ掛け部と移動係留体を繋ぐためのワイヤ掛け部あるいはワイヤを前記移動係留体に設けてなる携帯電話等の下げ具を構成している。
＜請求項９記載の発明＞
請求項１、２、３、６、７いずれか記載の発明の構成において、移動係留体に、吊ロープを取付けた携帯電話等の該吊ロープを移動停止操作可能に吊り落としロープストッパーを設けてなり、前記吊り落としロープストッパーに前記吊ロープを通して前記携帯電話等を吊り状態にするとともに、前記吊り落としロープストッパーのロープロック状態を指で解除することにより前記携帯電話等を落とすことができるようにしてなる携帯電話等の下げ具を構成している。
＜請求項１０記載の発明＞
ロープと、このロープの一方の側と他方の側を通して該ロープに首を入れる首掛けループ部を形成するとともに、該ロープ上を移動可能且つ該ロープ上に係留しておくことができる移動係留部と、この移動係留部と一体となって上下移動させられる装飾移動係留体とで前記装飾移動係留体を携帯電話等とするループタイを構成している。
＜請求項１１記載の発明＞
請求項１〜９いずれか記載の携帯電話等の下げ具がループタイであるループタイを構成している。
＜請求項１２記載の発明＞
請求項１１記載の発明の構成において、ロープ係留部を携帯電話等の背部に取付ける粘着部や取付け手段などの携帯電話等取付け手段を有し、携帯電話等自体を移動係留体とするループタイを構成している。
＜請求項１３記載の発明＞
携帯電話等を収納するケース本体と、
このケース本体に設けられた、首に掛けるロープ、このロープにより首に掛けるための首掛けループ部を形成し且つ該首掛けループ部の大きさを自在に変えることができるようにするための、前記ロープを通すとともに該ロープ上を前記ケース本体が携帯電話等を収納したまま移動させることができ且つ好みの位置に係留することができるようにするためのロープ係留部を有する移動係留体とで移動係留体付きケースを構成している。
＜請求項１４記載の発明＞
請求項１３記載の発明の構成において、ケース本体が底無し形態であって、吊ロープを取付けた携帯電話等の該吊ロープを移動停止操作可能に吊り落としロープストッパーを設けてなり、前記吊り落としロープストッパーに前記吊ロープを通して前記携帯電話等を前記ケース本体内に吊り状態で収納するとともに、前記吊り落としロープストッパーのロープロック状態を指で解除することにより前記携帯電話等を前記ケース本体から落とし出すことができるようにしてなる移動係留体付きケースを構成している。
＜請求項１５記載の発明＞
携帯電話等本体と、
この携帯電話等本体に設けられた、ロープストッパーなどの移動係留体を直接取付けるための粘着部取付け部位や係止部位などの移動係留体取付け部とからなり、
首に掛けるロープを前記移動係留体取付け部に取付けた前記移動係留体のロープ通し部に前記ロープを通すとともに携帯電話等を該ロープ上を移動させることができ且つ好みの位置に係留することができるようにしてなる移動係留体取付け部付き携帯電話等を構成している。
＜請求項１６記載の発明＞
携帯電話等本体と、
この携帯電話等本体に設けられたあるいは設けるように該携帯電話等本体に添付されたロープストッパーなどの移動係留体とからなり、
首に掛けるロープを前記移動係留体のロープ通し部に前記ロープを通すとともに携帯電話等を該ロープ上を移動させることができ且つ好みの位置に係留することができるようにしてなる移動係留体取付け部付き携帯電話等を構成している。
＜請求項１７記載の発明＞
ロープを通す固定ロープ通し孔を有するストッパー本体と、
ストッパー本体内に可動可能に設けられた前記固定ロープ通し孔に通された前記ロープを通す可動ロープ通し孔を有する可動体と、
この可動体を常に付勢状態とする付勢手段と、
前記ストッパー本体に設けられた、携帯電話等をワイヤで吊り下げるための該ワイヤを掛けるワイヤ掛け部あるいはワイヤである携帯電話等取付け手段とからなり、
前記固定ロープ通し孔と前記可動ロープ通し孔に通されたロープが、前記可動体がフリーの状態では該可動体が付勢状態となっているので、前記固定ロープ通し孔と前記可動ロープ通し孔がズレ付勢でロープを挟持してロックされてロープ上に係留状態となり、前記可動体を指で押し込むと前記固定ロープ通し孔と前記可動ロープ通し孔は重なり状態となり、ロープは移動自在のロック解除状態となってロープ上を移動させることができるロープストッパーを構成している。
＜請求項１８記載の発明＞
請求項１７記載の発明の構成において、携帯電話等取付け手段が吊り下げた携帯電話等が回り裏返しとならないようにするために、帯部材で吊り下げるための帯部材掛け部あるいは帯部材であるロープストッパーを構成している。
＜請求項１９記載の発明＞
請求項１７記載の発明の構成において、携帯電話等取付け手段が移動係留体に設けられた、携帯電話等を接着取付けるための粘着剤を含む接着部であるロープストッパーを構成している。
＜請求項２０記載の発明＞
請求項１７記載の発明の構成において、携帯電話等取付け手段が、携帯電話等に設けられた移動係留体取付け部にストッパー本体を着脱自在に係わり合って取付ける係合構成であるロープストッパーを構成している。
＜請求項２１記載の発明＞
請求項１９、２０いずれか記載の発明の構成において、携帯電話等のワイヤ掛け部とを繋ぐためのワイヤ掛け部あるいはワイヤを設けてなるロープストッパーを構成している。
＜請求項２２記載の発明＞
ロープを通す固定ロープ通し孔を有するストッパー本体と、
ストッパー本体内に可動可能に設けられた前記固定ロープ通し孔に通された前記ロープを通す可動ロープ通し孔を有する可動体と、
この可動体を常に付勢状態とする付勢手段と、
前記ストッパー本体に設けられた、吊ロープを取付けた携帯電話等の該吊ロープを移動停止操作可能に吊る落としロープストッパー部とからなり、
この落としロープストッパー部に前記吊ロープを通して前記携帯電話等を吊り状態にするとともに、前記落としロープストッパー部のロープロック状態を指で解除することにより前記携帯電話等を落とすことができるとともに、前記固定ロープ通し孔と前記可動ロープ通し孔に通されたロープが、前記可動体がフリーの状態では該可動体が付勢状態となっているので、前記固定ロープ通し孔と前記可動ロープ通し孔がズレ付勢でロープを挟持してロックされてロープ上に係留状態となり、前記可動体を指で押し込むと前記固定ロープ通し孔と前記可動ロープ通し孔は重なり状態となり、ロープは移動自在のロック解除状態となってロープ上を移動させることができるようにしてなるロープストッパーを構成いる。
＜請求項２３記載の発明＞
ロープを通すとともに該ロープ上を移動させることができ且つ好みの位置に係留することができるロープ係留部を有する移動係留体、携帯電話等がこの移動係留体と一体となって移動するように設けられ、前記移動係留体および携帯電話等を首から下げた状態において該移動係留体を身体の前方で操作して前記ロープ上を上下に移動させることで前記携帯電話等を上下に移動させるとともに、前記移動係留体の前記ロープ上の任意の上下位置での停止係留により前記携帯電話を好みの上下位置に係留しておくことができるようにする携帯電話等の携帯方法を構成している。
移動係留体と携帯電話等を一体的に移動係留できるようにする形態は、移動係留体を携帯電話等に直接取付ける、何らかの下げ部材を介して連結したり繋いだりする、移動係留体に収納ケースを設け該収納ケースに携帯電話等を収納するなどの形態がある。
＜請求項２４記載の発明＞
ロープと、
このロープの下方に設けられた携帯電話等を吊り下げるための携帯電話等吊り下げ部と、
前記ロープを通すとともに該ロープ上を移動させることができ且つ好みの位置に係留することができるロープ係留部を有する移動係留体と、
この移動係留体に設けられた、前記携帯電話等に設けられたフック、フック掛け部、磁石、面ファスナなどの吊られ側係合手段、この吊られ側係合手段と係わり合って前記携帯電話等を前記移動係留体に着脱自在に係止する移動係留体側係合手段とで携帯電話等の下げ具を構成している。
＜請求項２５記載の発明＞
ロープと、
このロープの下方に設けられた、巻取り付勢力により携帯電話等を吊り下げるワイヤを巻き取っている付勢巻取り手段と、
前記ロープにより首に掛けるための首掛けループ部を形成し且つ該首掛けループ部の大きさを自在に変えることができるようにするための、前記ロープを通すとともに該ロープ上を移動させることができ且つ好みの位置に係留することができるロープ係留部を有する移動係留体とで携帯電話等の下げ具を構成している。
＜請求項２６記載の発明＞
ロープと、
このロープを通すとともに該ロープ上を移動させることができ且つ好みの位置に係留することができるロープ係留部を有する移動係留体と、
この移動係留体に固定されたり吊られたりして設けられた、巻取り付勢力により携帯電話等を吊り下げるワイヤを巻き取っている付勢巻取り手段とで携帯電話等の下げ具を構成している。
＜請求項２７記載の発明＞
請求項１〜９、２４、２６いずれか記載の発明の構成において、前記ロープの先端を衣類の襟等にクリップ等で係止できる等が行えるよう、ロープの先端が分離され首掛けループ部が形成されないようにしてなる携帯電話等の下げ具を構成している。
＜請求項２８記載の発明＞
請求項１７〜２２いずれか記載の発明において、ストッパー本体あるいは可動体が、携帯者の胸元などの身体に当たった場合に、突き出たものが当たっているという突出物当り感を感じないように、幅広形態に形成されてなりあるいはロープを細紐、薄平紐などにすることで薄形態に形成されてなるものであるロープストッパーを構成している。
＜請求項２９記載の発明＞
ロープ上に支持されて該ロープ上を移動可能且つ好みの位置に係留できるストッパー本体と、このストッパー本体に設けられた前記ロープのロックと解除を行う可動体と、この可動体あるいは前記ストッパー本体から下げるように設けられた下げ部と、この下げ部に設けられた携帯電話等を取付けるための携帯電話等取付け手段とからなり、前記吊るされた携帯電話等の上方に前記ストッパー本体が位置するようにしてなるロープストッパーを構成している。
＜請求項３０記載の発明＞
ロープ上に支持されて該ロープ上を移動可能且つ好みの位置に係留できるストッパー本体と、このストッパー本体に設けられた前記ロープのロックと解除を行う可動体と、この可動体あるいは前記ストッパー本体から下げるように設けられた、携帯電話等の吊るされる側連結部に着脱自在に嵌合連結される嵌合連結部とからなり、前記吊るされる側連結部に前記嵌合連結部を連結した状態において、吊るされた携帯電話等の上方に前記ストッパー本体が位置するようにしてなるロープストッパーを構成している。
＜請求項３１記載の発明＞
板部材やシート部材などからなる連結具本体と、この連結具の上部に設けられた、ロープ上に支持されて該ロープ上を移動可能且つ好みの位置に係留できる移動係留体を取付ける移動係留体取付け部と、前記連結具本体の下方に設けられた、携帯電話等を取付けるための携帯電話等取付け手段とで移動係留体と携帯電話等の連結具を構成している。
＜請求項３２記載の発明＞
請求項３１に記載の発明の構成において、携帯電話等取付け手段が、携帯電話等の吊るされる側連結部に着脱自在に嵌合連結される嵌合連結部である移動係留体と携帯電話等の連結具を構成している。
＜請求項３３記載の発明＞
請求項３１、３２いずれか記載の発明の構成において、連結具本体の上部に移動係留体に通されたロープを通すためのロープ通し部が設けられてなる移動係留体と携帯電話等の連結具を構成している。
＜請求項３４記載の発明＞
請求項３１、３２、３３いずれか記載の発明の構成において、取付けた携帯電話等と身体間に位置されて、固い携帯電話等や移動係留体の身体への当りをソフトな当りにするためのソフトパットを設けてなる移動係留体と携帯電話等の連結具を構成している。
＜請求項３５記載の発明＞
請求項１〜９、２４〜２７いずれか記載の発明の構成において、取付けた携帯電話等と身体間に位置されて、固い携帯電話等や移動係留体の身体への当りをソフトな当りにするためのソフトパットを設けてなることを特徴とする携帯電話等の下げ具を構成している。
＜請求項３６記載の発明＞
請求項１７〜２２、２８〜３０いずれか記載の発明の構成において、取付けた携帯電話等と身体間に位置されて、固い携帯電話等や移動係留体の身体への当りをソフトな当りにするためのソフトパットを設けてなるロープストッパーを構成している。
＜請求項３７記載の発明＞
請求項３１、３２、３３、３４いずれか記載発明の構成において、携帯電話等に取付けた首に下げた状態で、移動係留体本体を該携帯電話等の背部に略突き出さない状態で上方に支持するとともに、前記移動係留体本体を取り外す、添え板の取り外し、前記移動係留体の回動による避け動作などにより、前記移動係留体本体が携帯電話等の充電などの邪魔にならないようにしてなる移動係留体と携帯電話等の連結具を構成している。
＜請求項３８記載の発明＞
請求項１〜９、２４〜２７、３５いずれか記載の発明の構成において、携帯電話等に取付けた首に下げた状態で、移動係留体本体を該携帯電話等の背部に略突き出さない状態で上方に支持するとともに、前記移動係留体本体を取り外す、添え板の取り外し、前記移動係留体の回動による避け動作などにより、前記移動係留体本体が携帯電話等の充電などの邪魔にならないようにしてなる携帯電話等の下げ具を構成している。
＜請求項３９記載の発明＞
請求項３１、３２、３３、３４、３７いずれか記載の発明の構成において、携帯電話等に取付けた首に下げた状態で、移動係留体本体を該携帯電話等の背部に略突き出さない状態で上方に支持するとともに、前記移動係留体本体を取り外す、添え板の取り外し、前記移動係留体の回動による避け動作などにより、前記移動係留体本体が携帯電話等の充電などの邪魔にならないようにしてなる移動係留体と携帯電話等の連結具を構成している。
＜請求項４０記載の発明＞
請求項１〜９、２４〜２７、３５、３８いずれか記載の発明の構成において、移動係留体上方のロープ上に他の移動係留体からなる首掛けループ部を形成するループ形成体を設けてなる携帯電話等の下げ具を構成している。
この場合、携帯電話等を取付けた移動係留体は首掛けループ部を形成するように機能していない。但し、ループ形成体を首に後ろに位置させた場合は、移動係留体はループ形成体として機能する。
＜請求項４１記載の発明＞
請求項１〜９、２４〜２７、３５、３８、４０いずれか記載の発明の構成において、移動係留体に携帯電話等に接続したイヤホンケーブルなどの送信ケーブルを係合する送信ケーブル係合部を設けてなる携帯電話等の下げ具を構成している。
＜請求項４２記載の発明＞
請求項１７〜２２、２８〜３０いずれか記載の発明の構成において、携帯電話等に接続したイヤホンケーブルなどの送信ケーブルを挟持したり収納したりして係合する送信ケーブル係合部を設けてなるロープストッパーを構成している。
＜請求項４３記載の発明＞
請求項３１、３２、３３、３４、３７、３９いずれか記載の発明の構成において、携帯電話等に接続したイヤホンケーブルなどの送信ケーブルを挟持したり収納したりして係合する送信ケーブル係合部を設けてなる移動係留体と携帯電話等の連結具を構成している。
＜請求項４４記載の発明＞
請求項１〜９、２４〜２７、３５、３８、４０、４１いずれか記載の発明の構成において、ロープの垂れる一方の端部に磁石を設け、もう一方の端部に他の磁石や鉄部材などの前記磁石に磁着する磁着部材を設けてなる携帯電話等の下げ具を構成している。
【発明の効果】
【０００７】
以上の説明から明らかなように、本発明にあっては次に列挙する効果が得られる。
＜請求項１記載の発明の効果＞
ロープと、このロープを通すとともに該ロープ上を移動させることができ且つ好みの位置に係留することができるロープ係留部を有する移動係留体と、携帯電話、小型カメラ、デジタルカメラ、ＭＤ・ＭＰ・ＣＤ・カセットプレイヤー、ボイスレコーダや名札などの携帯電話等を、前記移動係留体とともに前記ロープ上を移動させ且つ好みの位置に係留することができるようにするための携帯電話等取付け手段とで携帯電話等の下げ具を構成しているので、
（１）首に下げた携帯電話等を未使用時は首元側に係留しておけるので、携帯電話等を吊るロープが短くなり、携帯電話等の振れを極めて小さくでき、作業や運動をしながらでも安全に首に吊るし携帯できるという効果をえることができる。
例えば、洗面所で手を洗う場合など、従来技術では吊り下げた携帯電話等が前方に振れて行って、ぶつかったり濡れたりするので、携帯電話等を洗浄前の汚れた手で安全な場所に動かさなければならないという不潔な操作を強いられるのであるが、本発明においてはそのような不潔な操作を行う必要を無くす効果を得ることができる。
当然、ロープの最下部、好みの中途など任意の場所に携帯電話等を吊り留め置くことができるという効果を得ることができる。
（２）携帯電話等を首元下に係留することができるので、携帯電話等をファッションのアクセントとして積極的に生かすことができるという効果を得ることができる。
例えば、ワイシャツとネクタイが必須のビジネスマンなどは、ループタイの装飾移動体の一部として生かすことができるので携帯電話等の扱いやすい所持形態とネクタイやループタイを付けることを必須とするビジネス服装との統合を可能とし、女性の服装の多くが胸ポケットがないことからバック当に携帯電話等を入れて不便を強いられている問題を解決するとともに、携帯電話等を積極的にアクセサリー的な使用とするこができるなど、誰でもが携帯電話等を安全に扱いやすく携帯でき且つ装飾品として積極的にファッションに生かし楽しむというライフワークを実現する。
（３）胸ポケットに携帯電話等をポケットの底につかない宙吊り状態で入れおくことを可能とし、ポケットのだら下がり偏った垂れ状態を起こさない服装の乱れを起こさないという効果を得ることができる。
（４）首に掛かる部位に移動係留体を通したロープ以外の、該移動係留体を通らないバンド、鎖、肩掛け体、ソフト太物首掛けたい、衿取付けクリップなどのものを使用することができるという効果を得ることができる。
（５）携帯電話と耳からの距離を２０ｃｍ〜３０ｃｍくらいに保持するので、携帯電話の着信音を小音量とすることができるという効果を得ることができる。また、振動のみのマナーモードのみでも着信を感じることができるという効果を得ることができる。
着信音の小音量化やマナーモード化は、例えば携帯電話を社内電話として使用する場合などは、仕事環境に悪影響を与えないようにするためにも重要である。
（６）移動係留体に携帯電話等に接続したイヤホンなどの送信ケーブルを係合するなどして止めることができるので、送信ケーブルの装着形態がシンプルで安定した形態とでき、特に携帯電話等の振れが小さい上方への係留ではイヤホンを常時使用が大変おこないやすい環境を実現するという効果を得ることができる。
＜請求項２記載の発明の効果＞
請求項１いずれか記載の発明の構成において、移動係留体が、ロープを通す固定ロープ通し孔を有するストッパー本体と、ストッパー本体内に可動可能に設けられた前記固定ロープ通し孔に通された前記ロープを通す可動ロープ通し孔を有する可動体と、この可動体を常に付勢状態とする付勢手段とからなるとともに、前記固定ロープ通し孔と前記可動ロープ通し孔に通されたロープが、前記可動体がフリーの状態では該可動体が付勢状態となっているので、前記固定ロープ通し孔と前記可動ロープ通し孔がズレ付勢でロープを挟持してロックされてロープ上に係留状態となり、前記可動体を指で押し込むと前記固定ロープ通し孔と前記可動ロープ通し孔は重なり状態となり、ロープは移動自在のロック解除状態となってロープ上を移動させることができるロープストッパーである携帯電話等の下げ具を構成しているので、
携帯電話等の上下移動が抵抗なくスムーズに行えるとともに、係留したい部位ではロープを確りとロックできるので、携帯電話等の重量や動きの中でずり下がってくることがないという効果を得ることができる。
＜請求項３記載の発明の効果＞
請求項１、２いずれか記載の発明の構成において、ロープの下部が分離されて該ロープの一方の下部に磁石が設けられ、該ロープのもう一方の下部に前記磁石の磁力で該磁石に磁着する磁着材を設けてなる携帯電話等の下げ具を構成しているので、
請求項１、２いずれか記載の発明の効果に加えて、垂れ下がっている一方のロープと他方のロープを首の後ろで磁着により簡単にくっ付け連結係止できるので、炊事をする、作業をするなどの場合には邪魔になるロープの垂れ下がりを無くすことができ、ロープが作業等の邪魔にならなくでき、且つ、ロープをちょっと引っ張るだけでロープの連結を切り離し垂れ下げることができるという効果を得ることができる。
また、垂れ下げた状態でもロープ下部がくっ付くので、振れが抑制されるという効果を得ることができる。
また、磁力で軽い状態にくっ付いているだけであるので、何かに引っかかるとロープは即離れて引っかからない、安全性を実現しているという効果を得ることができる。
＜請求項４記載の発明の効果＞
請求項１、２、３いずれか記載の発明の構成において、携帯電話等取付け手段が携帯電話等をワイヤで吊り下げるための該ワイヤを掛けるワイヤ掛け部あるいはワイヤである携帯電話等の下げ具を構成しているので、
請求項１、２、３いずれか記載の発明と同様な効果を得ることができる。
＜請求項５記載の発明の効果＞
請求項１、２、３いずれか記載の発明の構成において、携帯電話等取付け手段が吊り下げた携帯電話等が回り裏返しとならないようにするために、帯部材で吊り下げるための帯部材掛け部あるいは帯部材である携帯電話等の下げ具を構成しているので、
請求項１、２、３いずれか記載の発明の効果に加えて、帯部材という方向性の強い部材で携帯電話等が下げられるので、移動係留体が上方に位置するほど携帯電話等は裏返り難くなる移動係留体に制御されて裏返り難くなり、首元では殆ど裏返る事がない吊り形態を実現するという効果を得ることができる。
＜請求項６記載の発明の効果＞
請求項１、２、３いずれか記載の発明の構成において、携帯電話等取付け手段が移動係留体に設けられた、携帯電話等を接着取付けるための粘着剤を含む接着部である携帯電話等の下げ具を構成しているので、
請求項１、２、３いずれか記載の発明の効果に加えて、移動係留体を接着剤により携帯電話等の背部に取付け固定して移動係留体付き携帯電話等を形成できるので、携帯電話等そのものをループタイの装飾体として機能させることができ、最も振れの小さい形態で且つ裏返らない形態の携帯電話等の首吊り形態を実現するという効果をえることができる。
首元側に吊った状態では普通の動作では携帯電話等は殆ど左右に振れることがなく係止されるので、ネクタイの下に携帯電話等を隠すようにして係留しておくことができ、また、ロープも襟元で閉めるのでネクタイに全てが殆ど隠れてしまうので、違和感なくネクタイの下に携帯電話等を吊おく事ができるなどのことができる。
＜請求項７記載の発明の効果＞
請求項１、２、３いずれか記載の発明の構成において、携帯電話等取付け手段が、携帯電話等に設けられた移動係留体取付け部に移動係留体を着脱自在に係わり合って取付けるフックとフック掛け部、嵌合挿入体と嵌合受け体、安全ピンとピン受けなどの係合構成としたものであるので、
請求項６記載の発明の効果と同様な効果を得るとともに、携帯電話等に移動係留体を、フックとフック掛け部、嵌合挿入体と嵌合受け体、安全ピンとピン受けなどの機械的な形態で取付ける形態であるので、携帯電話等の移動係留体からの着脱を自在に可能にする形態を実現できるという効果を得ることができる。
＜請求項８記載の発明の効果＞
請求項６、７いずれか記載の発明の構成において、携帯電話等のワイヤ掛け部と移動係留体を繋ぐためのワイヤ掛け部あるいはワイヤを前記移動係留体に設けてなる携帯電話等の下げ具を構成しているので、
請求項６、７いずれか記載の発明の効果に加えて、携帯電話等が移動係留体から脱落しても、ワイヤにより繋がっているので落下は免れるという安全性を実現するという効果を得ることができる。
＜請求項９記載の発明の効果＞
請求項１、２、３、６、７いずれか記載の発明の構成において、移動係留体に、吊ロープを取付けた携帯電話等の該吊ロープを移動停止操作可能に吊り落としロープストッパーを設けてなり、前記吊り落としロープストッパーに前記吊ロープを通して前記携帯電話等を吊り状態にするとともに、前記吊り落としロープストッパーのロープロック状態を指で解除することにより前記携帯電話等を落とすことができるようにしてなる携帯電話等の下げ具を構成しているので、
請求項１、２、３、６、７いずれか記載の発明と同様な効果を得ることができるとともに、移動係留体を下降させることなく吊り落としロープストッパーのロック解除により携帯電話等を落とし移動させて、通話など操作を可能とするとともに、携帯電話等を電子マネー等として使用する場合に、読み取り装置に携帯電話等を近接させることがあり、このような場合は、首掛けロープの長さに吊ロープの長さを加えた首元から６０ｃｍ〜７０ｃｍ程度の長さとでき、首に掛けたまま十分余裕を持って対応することができるという効果を得ることができる。
＜請求項１０記載の発明の効果＞
ロープと、このロープの一方の側と他方の側を通して該ロープに首を入れる首掛けループ部を形成するとともに、該ロープ上を移動可能且つ該ロープ上に係留しておくことができる移動係留部と、この移動係留部と一体となって上下移動させられる装飾移動係留体とで前記装飾移動係留体を携帯電話等とするループタイを構成しているので、
請求項１、２、３と同様な効果を得ることができるとともに携帯電話等をループタイの装飾部材として使用できるとともに、取付け取り外しが行えるという効果を得ることができる。
＜請求項１１記載の発明の効果＞
請求項１〜９いずれか記載の携帯電話等の下げ具がループタイであるループタイを構成しているので、
請求項１〜９いずれか記載の発明と同様な効果を得ることができる。
＜請求項１２記載の発明の効果＞
請求項１１記載の発明の構成において、ロープ係留部を携帯電話等の背部に取付ける粘着部や取付け手段などの携帯電話等取付け手段を有し、携帯電話等自体を移動係留体とするループタイを構成しているので、
請求項６記載の発明と同様な効果を得ることができる。
＜請求項１３記載の発明の効果＞
携帯電話等を収納するケース本体と、
このケース本体に設けられた、首に掛けるロープ、このロープにより首に掛けるための首掛けループ部を形成し且つ該首掛けループ部の大きさを自在に変えることができるようにするための、前記ロープを通すとともに該ロープ上を前記ケース本体が携帯電話等を収納したまま移動させることができ且つ好みの位置に係留することができるようにするためのロープ係留部を有する移動係留体とで移動係留体付きケースを構成しているので、
請求項１〜１２記載の発明と同様な効果を得ることができるとともに、ケースを装飾品として使用できるとともに、携帯電話等を保護し隠すという効果を得ることができる。
＜請求項１４記載の発明の効果＞
請求項１３記載の発明の構成において、ケース本体が底無し形態であって、吊ロープを取付けた携帯電話等の該吊ロープを移動停止操作可能に吊り落としロープストッパーを設けてなり、前記吊り落としロープストッパーに前記吊ロープを通して前記携帯電話等を前記ケース本体内に吊り状態で収納するとともに、前記吊り落としロープストッパーのロープロック状態を指で解除することにより前記携帯電話等を前記ケース本体から落とし出すことができるようにしてなる移動係留体付きケースを構成しているので、
請求項１２記載の発明の効果に請求項９記載の発明の効果を加えた効果を得ることができる。
＜請求項１５記載の発明の効果＞
携帯電話等本体と、
この携帯電話等本体に設けられた、ロープストッパーなどの移動係留体を直接取付けるための粘着部取付け部位や係止部位などの移動係留体取付け部とからなり、
首に掛けるロープを前記移動係留体取付け部に取付けた前記移動係留体のロープ通し部に前記ロープを通すとともに携帯電話等を該ロープ上を移動させることができ且つ好みの位置に係留することができるようにしてなる移動係留体取付け部付き携帯電話等を構成しているので、
請求項６、７に記載の発明と同様な効果を得ることができる。
＜請求項１６記載の発明の効果＞
携帯電話等本体と、
この携帯電話等本体に設けられたあるいは設けるように該携帯電話等本体に添付されたロープストッパーなどの移動係留体とからなり、
首に掛けるロープを前記移動係留体のロープ通し部に前記ロープを通すとともに携帯電話等を該ロープ上を移動させることができ且つ好みの位置に係留することができるようにしてなる移動係留体取付け部付き携帯電話等を構成しているので、
請求項６、７に記載の発明と同様な効果を得ることができる。
＜請求項１７記載の発明の効果＞
ロープを通す固定ロープ通し孔を有するストッパー本体と、
ストッパー本体内に可動可能に設けられた前記固定ロープ通し孔に通された前記ロープを通す可動ロープ通し孔を有する可動体と、
この可動体を常に付勢状態とする付勢手段と、
前記ストッパー本体に設けられた、携帯電話等をワイヤで吊り下げるための該ワイヤを掛けるワイヤ掛け部あるいはワイヤである携帯電話等取付け手段とからなり、
前記固定ロープ通し孔と前記可動ロープ通し孔に通されたロープが、前記可動体がフリーの状態では該可動体が付勢状態となっているので、前記固定ロープ通し孔と前記可動ロープ通し孔がズレ付勢でロープを挟持してロックされてロープ上に係留状態となり、前記可動体を指で押し込むと前記固定ロープ通し孔と前記可動ロープ通し孔は重なり状態となり、ロープは移動自在のロック解除状態となってロープ上を移動させることができるロープストッパーを構成しているので、
携帯電話等の携帯必須部品として使用されることにより、請求項４記載の発明と同様な効果を得ることができる。
＜請求項１８記載の発明の効果＞
請求項１７記載の発明の構成において、携帯電話等取付け手段が吊り下げた携帯電話等が回り裏返しとならないようにするために、帯部材で吊り下げるための帯部材掛け部あるいは帯部材であるロープストッパーを構成しているので、
携帯電話等の携帯必須部品として使用されることにより、請求項５記載の発明と同様な効果を得ることができる。
＜請求項１９記載の発明の効果＞
請求項１７記載の発明の構成において、携帯電話等取付け手段が移動係留体に設けられた、携帯電話等を接着取付けるための粘着剤を含む接着部であるロープストッパーを構成しているので、
携帯電話等の携帯必須部品として使用されることにより、請求項６記載の発明と同様な効果を得ることができる。
＜請求項２０記載の発明の効果＞
請求項１７記載の発明の構成において、携帯電話等取付け手段が、携帯電話等取付け手段が、携帯電話等に設けられた移動係留体取付け部にストッパー本体を着脱自在に係わり合って取付ける係合構成であるロープストッパーを構成しているので、
携帯電話等の携帯必須部品として使用されることにより、請求項７記載の発明と同様な効果を得ることができる。
＜請求項２１記載の発明の効果＞
請求項１９、２０いずれか記載の発明の構成において、携帯電話等のワイヤ掛け部とを繋ぐためのワイヤ掛け部あるいはワイヤを設けてなるロープストッパーを構成しているので、
携帯電話等の携帯必須部品として使用されることにより、請求項８記載の発明と同様な効果を得ることができる。
＜請求項２２記載の発明の効果＞
ロープを通す固定ロープ通し孔を有するストッパー本体と、
ストッパー本体内に可動可能に設けられた前記固定ロープ通し孔に通された前記ロープを通す可動ロープ通し孔を有する可動体と、
この可動体を常に付勢状態とする付勢手段と、
前記ストッパー本体に設けられた、吊ロープを取付けた携帯電話等の該吊ロープを移動停止操作可能に吊る落としロープストッパー部とからなり、
この落としロープストッパー部に前記吊ロープを通して前記携帯電話等を吊り状態にするとともに、前記落としロープストッパー部のロープロック状態を指で解除することにより前記携帯電話等を落とすことができるとともに、前記固定ロープ通し孔と前記可動ロープ通し孔に通されたロープが、前記可動体がフリーの状態では該可動体が付勢状態となっているので、前記固定ロープ通し孔と前記可動ロープ通し孔がズレ付勢でロープを挟持してロックされてロープ上に係留状態となり、前記可動体を指で押し込むと前記固定ロープ通し孔と前記可動ロープ通し孔は重なり状態となり、ロープは移動自在のロック解除状態となってロープ上を移動させることができるようにしてなるロープストッパーを構成していので、
携帯電話等の携帯必須部品として使用されることにより、請求項９記載の発明と同様な効果を得ることができる。
＜請求項２３記載の発明の効果＞
ロープを通すとともに該ロープ上を移動させることができ且つ好みの位置に係留することができるロープ係留部を有する移動係留体、携帯電話等がこの移動係留体と一体となって移動するように設けられ、前記移動係留体および携帯電話等を首から下げた状態において該移動係留体を身体の前方で操作して前記ロープ上を上下に移動させることで前記携帯電話等を上下に移動させるとともに、前記移動係留体の前記ロープ上の任意の上下位置での停止係留により前記携帯電話を好みの上下位置に係留しておくことができるようにする携帯電話等の携帯方法を構成しているので、
請求項１〜９に記載の発明とどうよな効果を得ることができる。
＜請求項２４記載の発明の効果＞
ロープと、このロープの下方に設けられた携帯電話等を吊り下げるための携帯電話等吊り下げ部と、前記ロープを通すとともに該ロープ上を移動させることができ且つ好みの位置に係留することができるロープ係留部を有する移動係留体と、この移動係留体に設けられた、前記携帯電話等に設けられたフック、フック掛け部、磁石、面ファスナなどの吊られ側係合手段、この吊られ側係合手段と係わり合って前記携帯電話等を前記移動係留体に着脱自在に係止する移動係留体側係合手段とで携帯電話等の下げ具を構成されているので、
移動係留体を首の方に係留しておけば、携帯電話等を該移動係留体に係止して、臍のあたりに下がってブラブラ揺れている携帯電話等を胸元上に裏返らないように係留して置け且つロープやつりワイヤなども引き上げて上方に保持することでき、携帯電話等を操作するときは身体の前方で簡単に係止状態から外して操作できる、すなわち携帯電話等の上げ下げ操作が身体の前方で簡単に行えるという効果を得ることができる。
これにより、携帯電話等を首に下げたまま、それを邪魔にすることなく手洗い、食事、歩行、炊事洗濯、作業などを行うことができる。
＜請求項２５記載の発明の効果＞
ロープと、このロープの下方に設けられた、巻取り付勢力により携帯電話等を吊り下げるワイヤを巻き取っている付勢巻取り手段と、前記ロープにより首に掛けるための首掛けループ部を形成し且つ該首掛けループ部の大きさを自在に変えることができるようにするための、前記ロープを通すとともに該ロープ上を移動させることができ且つ好みの位置に係留することができるロープ係留部を有する移動係留体とで携帯電話等の下げ具を構成しているので、
移動係留体を首の後ろに位置させて首掛けループ部をその前方に形成して首に掛け、付勢巻取り手段とこれに吊り下げた携帯電話等を胸元上などの高い位置に保持しておいて、携帯電話等を操作する場合は、携帯電話等を掴み引き下げて操作することができ、且つ、上げると付勢巻取り手段のワイヤは巻取り付勢力により巻き取られるので、携帯電話等を胸元上などの上方に吊り保持しておくことができる、すなわち身体の前方で携帯電話等の上げ下げ操作が簡単に行えるという効果を得ることができる。
これにより、携帯電話等を首に下げたまま、それを邪魔にすることなく手洗い、食事、歩行、炊事洗濯、作業などを行うことができる。
＜請求項２６記載の発明の効果＞
ロープと、このロープを通すとともに該ロープ上を移動させることができ且つ好みの位置に係留することができるロープ係留部を有する移動係留体と、この移動係留体に固定されたり吊られたりして設けられた、巻取り付勢力により携帯電話等を吊り下げるワイヤを巻き取っている付勢巻取り手段とで携帯電話等の下げ具を構成しているので、
前記請求項２５記載の発明の効果と同様な効果を得ることができるとともに、移動係留体に付勢巻取り手段を直接取付けてなるものにおいては、より首元に近い位置に携帯電話等を係留できるとともに、携帯電話等が裏返らないという効果を得ることができる。
＜請求項２７記載の発明の効果＞
請求項１〜９、２４、２６いずれか記載の発明の構成において、前記ロープの先端を衣類の襟等にクリップ等で係止できる等が行えるよう、ロープの先端が分離され首掛けループ部が形成されないようにしてなる携帯電話等の下げ具を構成しているので、
ロープの上部両端にクリップをつける、フックをつける、首の後ろで縛る、着脱自在の嵌合連結部材を付けるなどのことが行える。
＜請求項２８記載の発明＞
請求項１７〜２２いずれか記載の発明において、ストッパー本体あるいは可動体が、携帯者の胸元などの身体に当たった場合に、突き出たものが当たっているという突出物当り感を感じないように、幅広形態に形成されてなりあるいはロープを細紐、薄平紐などにすることで薄形態に形成されてなるものであるロープストッパーを構成しているので、
長時間携帯電話等を胸元などに吊り係留しておいても、突起物当り感がないので、違和感なく使用することができるという効果を得ることができる。
＜請求項２９記載の発明の効果＞
ロープ上に支持されて該ロープ上を移動可能且つ好みの位置に係留できるストッパー本体と、このストッパー本体に設けられた前記ロープのロックと解除を行う可動体と、この可動体あるいは前記ストッパー本体から下げるように設けられた下げ部と、この下げ部に設けられた携帯電話等を取付けるための携帯電話等取付け手段とからなり、前記吊るされた携帯電話等の上方に前記ストッパー本体が位置するようにしてなるロープストッパーを構成しているので、
首に下げた携帯電話等を身体の前方での手による操作だけで上げ下げが自在にできるととも、携帯電話等を好みの位置に係留留め置くことができ、且つ、携帯電話等と連結したロープストッパーが該携帯電話等の上方に位置するので、該ロープストッパーが胸元などに突起当りをしない形態を実現できるという効果を得ることができる。
これにより、違和感なく携帯電話等を胸元上方に長時間係留しておくことを実現する。
＜請求項３０記載の発明の効果＞
ロープ上に支持されて該ロープ上を移動可能且つ好みの位置に係留できるストッパー本体と、このストッパー本体に設けられた前記ロープのロックと解除を行う可動体と、この可動体あるいは前記ストッパー本体から下げるように設けられた、携帯電話等の吊るされる側連結部に着脱自在に嵌合連結される嵌合連結部とからなり、前記吊るされる側連結部に前記嵌合連結部を連結した状態において、吊るされた携帯電話等の上方に前記ストッパー本体が位置するようにしてなるロープストッパーを構成しているので、
首に下げた携帯電話等を身体の前方での手による操作だけで上げ下げが自在にできるととも、携帯電話等を好みの位置に係留留め置くことができ、且つ、携帯電話等と連結したロープストッパーが該携帯電話等の上方に位置するので、該ロープストッパーが胸元などに突起当りをしない形態を実現できるという効果を得ることができる。
これにより、違和感なく携帯電話等を胸元上方に長時間係留しておくことができる。
「携帯電話等の吊るされる側連結部に着脱自在に嵌合連結される嵌合連結部」により、携帯電話等をいつでも自在に取付けたり取り外したりできるという効果を得ることができる。
＜請求項３１記載の発明の効果＞
板部材やシート部材などからなる連結具本体と、この連結具の上部に設けられた、ロープ上に支持されて該ロープ上を移動可能且つ好みの位置に係留できる移動係留体を取付ける移動係留体取付け部と、前記連結具本体の下方に設けられた、携帯電話等を取付けるための携帯電話等取付け手段とで移動係留体と携帯電話等の連結具を構成しているので、
前記請求項２９記載の発明と同様な効果を得ることができる。
＜請求項３２記載の発明の効果＞
請求項３１に記載の発明の構成において、携帯電話等取付け手段が、携帯電話等の吊るされる側連結部に着脱自在に嵌合連結される嵌合連結部である移動係留体と携帯電話等の連結具を構成しているので、
前記請求項３０記載の発明と同様な効果を得ることができる。
＜請求項３３記載の発明の効果＞
請求項３０、３２いずれか記載の発明の構成において、連結具本体の上部に移動係留体に通されたロープを通すためのロープ通し部が設けられてなる移動係留体と携帯電話等の連結具（以下「連結具」という。）を構成しているので、
請求項３０、３２記載の発明と同様な効果を得るとともに、ロープ通し部にロープが通される構造により、移動係留体に接着などより取付けられている連結具が外れた場合でも、ロープに掛かっているので落下することがないという安全性と実現する。
＜請求項３４記載の発明の効果＞
請求項３１、３２、３３いずれか記載の発明の構成において、取付けた携帯電話等と身体間に位置されて、固い携帯電話等や移動係留体の身体への当りをソフトな当りにするためのソフトパットを設けてなる移動係留体と携帯電話等の連結具を構成しているので、
特に胸元上方に携帯電話等を係留した場合には、携帯電話等や移動係留体の固さが長時間当り接触し続けるので、違和感を感じる場合があるのであるが、身体と携帯電話等との間にソフトパットを置くので、その違和感を解消して長時間下げても違和感を感じないという効果を得ることができる。
特に胸元にボタンがあるシャツなどでは、このボタンを移動係留体を押しつづけるという問題があるが、これの問題を緩和する。
＜請求項３５記載の発明の効果＞
前記請求項３４記載の発明の効果と同じような効果を得ることができる。
＜請求項３６記載の発明の効果＞
前記請求項３４記載の発明の効果と同じような効果を得ることができる。
＜請求項３７記載の発明の効果＞
請求項３１、３２、３３、３４いずれか記載発明の構成において、携帯電話等に取付けた首に下げた状態で、移動係留体本体を該携帯電話等の背部に略突き出さない状態で上方に支持するとともに、前記移動係留体本体を取り外す、添え板の取り外し、前記移動係留体の回動による避け動作などにより、前記移動係留体本体が携帯電話等の充電などの邪魔にならないようにしてなる移動係留体と携帯電話等の連結具を構成しているので、
一般的には携帯電話の充電口は底部に設けてあり、ロープストッパーに該携帯電話は逆さに吊るすことが多く、そのためストッパー本体が上部に固定されたのでは、充電装置が連結できないという問題が生じる。また、携帯電話の背部にロープストッパーの携帯電話等取付け手段を取付けるために、携帯電話の吊り重心が傾き携帯電話も傾き、結果ストッパー本体が携帯電話の後方に突き出る形となり、ロープストッパーの上部と携帯電話の下部が身体に当たる、接触することになり、違和感を感じるという問題が生じる。
この二つの問題を解決するという効果をえることができる。
＜請求項３８記載の発明の効果＞
請求項１〜９、２４〜２７、３５いずれか記載の発明の構成において、携帯電話等に取付けた首に下げた状態で、移動係留体本体を該携帯電話等の背部に略突き出さない状態で上方に支持するとともに、前記移動係留体本体を取り外す、添え板の取り外し、前記移動係留体の回動による避け動作などにより、前記移動係留体本体が携帯電話等の充電などの邪魔にならないようにしてなる携帯電話等の下げ具を構成しているので、
前記請求項３７と同様な効果をえることができる。
＜請求項３９記載の発明の効果＞
請求項３１、３２、３３、３４、３７いずれか記載の発明の構成において、携帯電話等に取付けた首に下げた状態で、移動係留体本体を該携帯電話等の背部に略突き出さない状態で上方に支持するとともに、前記移動係留体本体を取り外す、添え板の取り外し、前記移動係留体の回動による避け動作などにより、前記移動係留体本体が携帯電話等の充電などの邪魔にならないようにしてなる移動係留体と携帯電話等の連結具を構成しているので、
前記請求項３７と同様な効果をえることができる。
＜請求項４０記載の発明の効果＞
請求項１〜９、２４〜２７、３５、３８いずれか記載の発明の構成において、移動係留体上方のロープ上に他の移動係留体からなる首掛けループ部を形成するループ形成体を設けてなる携帯電話等の下げ具を構成しているので、
ループ形成体から移動係留体までの間のロープは近接した平行状態となるので、例えば、ネクタイの裏側胸下あたりに携帯電話を隠すように下げたときなど、首元にループ形成体を係留させることにより、ロープも全て襟とネクタイ下に隠れるようにできるなどの効果を得ることが出来る。
送信ケーブルに流される信号には電気信号や光信号や磁気信号や音信号など多様なものがある。
＜請求項４１記載の発明の効果＞
請求項１〜９、２４〜２７、３５、３８、４０いずれか記載の発明の構成において、移動係留体に携帯電話等に接続したイヤホンケーブルなどの送信ケーブルを係合する送信ケーブル係合部を設けてなる携帯電話等の下げ具を構成しているので、
携帯電話等が下方にあっても上方にあっても送信ケーブルを安定したシンプルな形態で保持し、イヤホン等を大変使用しやすいものとすることが出来るという効果を得ることができる。
＜請求項４２記載の発明の効果＞
請求項１７〜２２、２８〜３０いずれか記載の発明の構成において、携帯電話等に接続したイヤホンケーブルなどの送信ケーブルを挟持したり収納したりして係合する送信ケーブル係合部を設けてなるロープストッパーを構成しているので、
携帯電話等が下方にあっても上方にあっても送信ケーブルを安定したシンプルな形態で保持し、イヤホン等を大変使用しやすいものとすることが出来るという効果を得ることができる。
＜請求項４３記載の発明の効果＞
請求項３１、３２、３３、３４、３７、３９いずれか記載の発明の構成において、携帯電話等に接続したイヤホンケーブルなどの送信ケーブルを挟持したり収納したりして係合する送信ケーブル係合部を設けてなる移動係留体と携帯電話等の連結具を構成しているので、
携帯電話等が下方にあっても上方にあっても送信ケーブルを安定したシンプルな形態で保持し、イヤホン等を大変使用しやすいものとすることが出来るという効果を得ることができる。
＜請求項４４記載の発明の効果＞
請求項１〜９、２４〜２７、３５、３８、４０、４１いずれか記載の発明の構成において、ロープの垂れる一方の端部に磁石を設け、もう一方の端部に他の磁石や鉄部材などの前記磁石に磁着する磁着部材を設けてなる携帯電話等の下げ具を構成しているので、
垂れ下がったロープの先端が常にくっ付いているので、常にロープの先端が揃った状態で一方の手で先端を掴み、もう一方の手で移動係留体を上下させる操作により、常にロープの左右の長さが揃うように調節されるという効果を得ることができる。
さらに、常にロープの先端がくっ付いているので、ワイシャツの袷にロープを入れ隠すことがし易い、ロープの垂れ部位を首の後部に廻してくっ付けてロープの垂れを無くすことができるなどの効果を得ることが出来る。
【発明を実施するための最良の形態】
【０００８】
以下、図面に示す発明を実施するための最良の形態を説明する。但し、本発明をこれらのみに限定するものではない。
【０００９】
＜第１の実施の形態＞
図１ないし図３に示す本発明を実施するための第１の実施の形態において１は携帯電話等の下げ具であって、この携帯電話等の下げ具１は、首に掛けるロープ２と、このロープ２により首に掛けるための首掛けループ部３を形成し且つ該３の大きさを自在に変えることができるようにするための、ロープ２の一方の側と他方の側を通すとともにロープ２上を移動させることができ且つ好みの位置に係留することができるロープロック部であるロープ係留部４を有するロープストッパーからなる移動係留体５と、この移動係留体５に取付けられた装飾体６と、移動係留体５に設けられた携帯電話等７（デジタルカメラや小型カメラや名札などでもよい）移動係留体５とともにロープ２上を移動させ且つ好みの位置に係留することができるようにするための携帯電話等取付け手段８と、ロープ２の両端に設けられた少し重さのある装飾金具である抜け防止部材９、１０とから構成されている。
携帯電話等７は携帯電話等取付け手段８に掛けた細いワイヤ１１で吊り下げられている。
首掛けループ部の半分強程度はバンド形態部材とするのもよい。
【００１０】
移動係留体５を、ロープ係留部４をロープロック部１５、移動係留体５をロープストッパー１６に符号を変えて説明する。
上部側壁と下部側壁にループ３を形成するロープ２を通す２対の固定ロープ通し孔１８ａ、１８ｂおよび固定ロープ通し孔１９ａ、１９ｂ（図示せず）を有する外側筐体を形成しているストッパー本体２０と、このストッパー本体２０内に可動可能に設けられた固定ロープ通し孔１８ａ、１８ｂおよび固定ロープ通し孔１９ａ、１９ｂに通されたロープ２を通す可動ロープ通し孔２１ａ、２１ｂおよび可動ロープ通し孔２２ａ、２２ｂを有する内側筐体を形成している可動体２３と、この可動体２３を常に付勢状態とする圧縮コイル羽からなる付勢手段２４とからなるとともに、
固定ロープ通し孔１８ａ、１８ｂおよび固定ロープ通し孔１９ａ、１９ｂに通されたロープ２が、可動体２３がフリーの状態では可動体３が付勢状態となっているので、固定ロープ通し孔１８ａ、１８ｂおよび固定ロープ通し孔１９ａ、１９ｂと可動ロープ通し孔２１ａ、２１ｂおよび可動ロープ通し孔２２ａ、２２ｂがズレ付勢でロープを挟持してロックされてロープ上に係留状態（停止状態）となり、可動体２３を指で押し込むと固定ロープ通し孔１８ａ、１８ｂおよび固定ロープ通し孔１９ａ、１９ｂと可動ロープ通し孔２１ａ、２１ｂおよび可動ロープ通し孔２２ａ、２２ｂは重なり状態となり、ロープ２は移動自在のロック解除状態となってロープ上を移動させることができる。
固定ロープ通し孔１８ａ、１８ｂおよび固定ロープ通し孔１９ａ、１９ｂと可動ロープ通し孔２１ａ、２１ｂおよび可動ロープ通し孔２２ａ、２２ｂでロープロック部２５を形成している。
【００１１】
移動係留体５を下方に移し首掛けループ部３を頭が通る大きさにして首に掛ける。
一方の手で装飾体６と移動係留体５を片手で摘み可動体２３を押し込み下降させる。他方の手で抜け防止部材９、１０を合わせ握り、移動係留体５を上げる。携帯電話等７を好みの位置に留め置くことができる。
【００１２】
以下の実施の形態の説明において、前述した実施の形態の構成と同じ構成には同じ符号を付しその説明を省略する。
【００１３】
＜第２の実施の形態＞
図４に示す本発明を実施するための第２の実施の形態において前記第１の実施の形態と主に異なる点は、帯状下げ部材２７が掛けられる幅長の穴形態の携帯電話等取付け手段２８設けた移動係留体１４による携帯電話等首下げ具２９を形成した点にある。
携帯電話等７の側にも帯状下げ部材２７を掛ける幅長の穴形態である帯状部材取付け部３０を設けている。
帯状部材（バンド含む）により携帯電話等を下げているので、携帯電話等が裏返り難く裏返ったとしても主と向きに戻りやすい吊り下げ具を実現する。
上方である首元側に位置させた場合は殆ど裏返ることがない。
【００１４】
＜第３の実施の形態＞
図５に示す本発明を実施するための第３の実施の形態において前記第１の実施の形態と主に異なる点は、ストッパー本体２０の背部にワイヤ入れ口３３を開閉可能としてワイヤ１１の着脱を自在とした携帯電話等取付け手段３４を設けた移動係留体３５を形成した点にある。
携帯電話等取付け手段３４は、ストッパー本体２０の下部根元で繋がる繋がり部３６と、この３６から立ち上がった取付け部本体３７と、この取付け部本体３７の上部に形成された嵌合突起３８を有する開閉部３９と、取付け部本体３７の中途に設けられたワイヤ１１抜けを阻止するための抜き防止突起３８ａ、３８ｂと、ストッパー本体２０の上部に設けられた嵌合突起４１が嵌る嵌合凹４０とからなっている。
【００１５】
＜第４の実施の形態＞
図６に示す本発明を実施するための第４の実施の形態において前記第１の実施の形態と主に異なる点は、携帯電話等取付け手段３４に帯状下げ部材２７を介して名札４２を挟持するためのクリップ４３を設けてなる携帯電話等首下げ具４４を形成した点にある。
【００１６】
＜第５の実施の形態＞
図７に示す本発明を実施するための第５の実施の形態において４６はロープストッパーであって、このロープストッパー４６はロープ通すための対向する穴からなる固定ロープ通し孔４７ａ、４７ｂを有する中空形態のストッパー本体４８と、固定ロープ通し孔４７ａ、４７ｂと重なりロープを移動可能とし且つずれてロープをロックする可動ロープ通し孔４９を有するストッパー本体４８に可動可能に差し込まれた可動体５０と、この可動体５０を常時押し付勢してなる圧縮コイルばねからなる付勢手段５１と、ストッパー本体４８に設けられたワイヤを掛けた携帯電話等を取付けるための該ワイヤを掛ける携帯電話等取付け手段５２とからなっている。
【００１７】
＜第６の実施の形態＞
図８に示す本発明を実施するための第６の実施の形態において５４は移動係留体であって、この移動係留体５４は二つのロープストッパー４０を横並びにして挟持連結した構造であって、前部には装飾６が設けられ、背部には携帯電話等取付け手段３４が設けられた構成となっているものである。
【００１８】
＜第７の実施の形態＞
図９に示す本発明を実施するための第７の実施の形態において前記第１の実施の形態と主に異なるところは、可動・固定ロープ通し孔を通したロープが携帯電話等の外側に垂れるように幅広の位置に設けストッパー本体５６および可動体５７をそれに応じた幅広形態とした移動係留体５８を使用した携帯電話等首下げ具５９を形成した点にある。
【００１９】
＜第８の実施の形態＞
図１０に示す本発明を実施するための第８の実施の形態において６１は移動係留体であって、この移動係留体６１は装飾６を施した移動係留体本体６２と、この移動係留体本体６２の背部に設けられたロープ１１を摩擦挟持して手で掴み摩擦移動させことを可能とし且つ該挟持摩擦によりロープ１１上に移動係留体６１を係留し置くことを可能とするロープ留部６３と、携帯電話等取付け手段８とからなっている。
【００２０】
＜第９の実施の形態＞
図１１に示す本発明を実施するための第９の実施の形態において６５は携帯電話等首下げ具であって、この携帯電話等首下げ具６５は移動係留体５より幅広で同じような構成の移動係留体６６を、粘着剤を含む接着剤、ネジ係わり合って取付けるフックとフック掛け部、嵌合挿入体と嵌合受け体、安全ピンとピン受けなどの係合構成により携帯電話７に直接取付ける構成となっている。
移動係留体と携帯電話等が直接一体化されているので、携帯電話等の係留位置を最上位置にでき、携帯電話そのものをループタイのアクセント＝装飾とできる。
これにより、携帯電話等を積極的な装飾品とするためのデザインや形態のニーズを形成するものである。
当然、携帯電話等が上方に係留状態では裏返ることはない構成を実現する。
携帯電話等本体に移動係留体を取付けてなる移動係留体付き携帯電話等もよい。
【００２１】
＜第１０の実施の形態＞
図１２に示す本発明を実施するための第１０の実施の形態において６８は携帯電話等首下げ具であって、前記実施の形態９と主に異なる点は、ストッパー本体２０の上部に逆三角形の襟当て部６９を設けた点にある。
襟の中に紐が隠れて首元での納まりをよくできる。
【００２２】
＜第１１の実施の形態＞
図１３に示す本発明を実施するための第１１の実施の形態において７１はロープストッパーであって、このロープストッパー７１は前記第１の実施の形態のロープストッパー１６の構成に、可動部２３にネジ７２を通すネジ通し穴７３を設け、ストッパー本体２０にネジと通し穴７３を通されたネジ７２を入れるネジ受け穴７４を設けたものである。
ネジ７２で携帯電話等に設けたネジ穴に螺合しロープストッパー７１を携帯電話等に固定する。
通すネジ通し穴７３とネジ受け穴７４は反対の設け方でもよい。
【００２３】
＜第１２の実施の形態＞
図１４に示す本発明を実施するための第１２の実施の形態において７６は携帯電話等首下げ具であって、この携帯電話等首下げ具７６はストッパー本体２０に板材形状のフックからなる携帯電話等取付け手段７６を設けてなる移動係留体７７を使用したものである。
携帯電話等の側に携帯電話等取付け手段７６を係合する係留移動体取付け部７７を設けて使用する。
ただ単に上下関係で嵌めいれる形態であるので、携帯電話等の着脱が容易に行うことができる。
携帯電話等は係留移動体取付け部７７を設けた移動係留体付き携帯電話等を形成している。
移動係留体は携帯電話等取付け手段付き移動係留体（ロープストッパー含む）を形成している。
７８は着脱連結具である。
【００２４】
＜第１３の実施の形態＞
図１５に示す本発明を実施するための第１３の実施の形態において８０は携帯電話等首下げ具であって、この携帯電話等首下げ具８０はストッパー本体２０に、携帯電話等７を吊り下げるために取付けた一本のロープ８１を通し移動可能に係留するロープストッパー４６を設けてなる移動係留体８２を使用したものである。
８３は抜け止め。
移動係留体８２を首元側に係留しておいて、携帯電話等７の使用はロープストッパー４６の可動体５６を押してロープ８１のロックを解除して携帯電話等７を落下させて使用する。
電子マネー装置の検出部に携帯電話等を近接させなければならない場合や、他人に携帯電話等を手渡し見せるときなどには、さらに移動係留体８２を降ろし、ロープの長さを長くして使用することができる。
ロープストッパー付き移動係留体をも形成している。
【００２５】
＜第１４の実施の形態＞
図１６に示す本発明を実施するための第１４の実施の形態において８５は携帯電話等首下げ具であって、携帯電話等首下げ具８５はストッパー本体２０に底有りのケース８６を設け、このケース８６の表側に装飾体６を設けてなる構成としたものであり、
このケース８６に携帯電話等７を収納して使用するものである。
携帯電話等をケースに収納したまま移動係留することができ、ワイヤ１１を長いものとすることにより、首元にケースを係留したまま携帯電話等を取り出し操作することもできる。
装飾体６は別体を貼り付ける等したもの、印刷によるものなど多様な形態がある。
携帯電話等の形態が気に入らないなどの場合に、好みの装飾をしたケースを使用できる。
ケース８６とロープストッパー１６とでロープストッパーツ付き（移動係留体付き）ケース８７を形成している。
【００２６】
＜第１５の実施の形態＞
図１７に示す本発明を実施するための第１５の実施の形態において８９は携帯電話等首下げ具であって、携帯電話等首下げ具８９はストッパー本体２０に底無しのケース８６を設け、ケース８６の上部にロープストッパー４６を設けてなる構成としたものである。
前記実施の形態１３と１４をあわせた効果を得ることができる。
【００２７】
＜第１６の実施の形態＞
図１８に示す本発明を実施するための第１６の実施の形態において移動係留体取付け部付き携帯電話等９１は携帯電話等本体９２の適宜な部位に粘着部を貼り付けるための平ら凹形態の移動係留体取付け部９３を設けた構成となっている。
移動係留体は可動部２３には携帯電話等取付け手段である粘着部９４が設けられて携帯電話等取付け手段付き移動係留体９０を形成している。
粘着部９移動係留体取付け部９３に貼り付けて移動係留体付き携帯電話等を形成する。
【００２８】
＜第１７の実施の形態＞
図１９ないし図２１に示す本発明を実施するための第１７の実施の形態において携帯電話等取付け手段付き移動係留体９６、移動係留体取付け部付き携帯電話等９５は次のようになっている。
携帯電話等取付け手段付き移動係留体９６は、ストッパー本体２０の上部端方に、外側下方にフック部９７を有する嵌合棒体９８、９９からなる雄嵌合部１００が設けられた構成となっている。
雄嵌合部１００を着脱自在に嵌合結合されるメス嵌合部１０１は、背部に粘着部を有する基板１０２の前部に嵌合棒体９８、９９が嵌り支持される嵌り支持部１０３が設けられ該１０３にはフック部９７が掛かるフック受け部１０４、１０４が設けられている。
嵌り支持部１０３に嵌合棒体９８、９９が嵌るとフック部９７、９７がフック受け部１０４、１０４にかかり抜けなくなる。嵌合棒体９８、９９を摘み押し込むとフック部９７、９７がフック受け部１０４、１０４の掛かりが解除されて外れる。
移動係留体取付け部付き携帯電話等９５は、携帯電話等本体１０５と、この携帯電話等本体１０５の適宜な部位に設けられたメス嵌合部１０１からなる移動係留体取付け部を設けた構成となっている。あるいは、メス嵌合部１０１を貼り付ける凹部位である移動係留体取付け部９３を設けた構成となっている。
【００２９】
＜第１８の実施の形態＞
図２２に示す本発明を実施するための第１８の実施の形態において携帯電話等取付け手段付き移動係留体１０８、移動係留体取付け部付き携帯電話等１１０は次のようになっている。
携帯電話等取付け手段付き移動係留体１０８は、携帯電話等取付け手段付き移動係留体９６の構成に加えてストッパー本体２０の下部側に突起１１１を設けてなるものである。
移動係留体取付け部付き携帯電話等１１０は、携帯電話等本体１０５に突き出すように嵌合棒体９８、９９が嵌合し支持される嵌合支持部からなる移動係留体取付け部１１２が設けられ、移動係留体取付け部１１２に嵌合棒体９８、９９が嵌合支持されて取付けられた携帯電話等取付け手段付き移動係留体１０８の突起１１１が嵌る突起嵌り部１１３を設けた構成となっている。
移動係留体取付け部１１２に挿入嵌合された嵌合棒体９８、９９は上部に突き出しているので、その部位を摘み抑えることによりフック部９７、９７の掛かりを解除して外すことができる。
移動係留体を一体的に携帯電話等に設けた移動係留体付携帯電話等や、ロープの移動係留部を一体的に携帯電話等に設けた異動係留部付携帯電話等も当然本発明の技術的範囲に含まれるものである。携帯電話等の両側部に移動係留部を設けてなるものもよい。
【００３０】
＜第１９の実施の形態＞
図２３に示す本発明を実施するための第１９の実施の形態において携帯電話等取付け手段付き移動係留体１１５、移動係留体取付け部付き携帯電話等１１６は次のようになっている。
携帯電話等取付け手段付き移動係留体１１５は、ストッパー本体２０に横向きの雄嵌合部１００と同様な機構の雄嵌合部１１７を設けた構成となっている。
雄嵌合部１１７はフック部９７は嵌合棒体の端方に形成され、解除はストッパー本体２０側に位置する部位に形成された押し突起１１８により行う。
移動係留体取付け部付き携帯電話等１１６は、携帯電話等本体１０５に縦に突出するように該１０５のケースに一体成型により形成された雄嵌合部１１７が着脱自在に嵌合する移動係留体取付け部１１９を設けたものである。
【００３１】
＜第２０の実施の形態＞
図２４に示す本発明を実施するための第２０の実施の形態において携帯電話等取付け手段付き移動係留体１２１、移動係留体取付け部付き携帯電話等１２２は次のようになっている。
携帯電話等取付け手段付き移動係留体１２１は、ストッパー本体２０に安全ピン１２３を設け、下方にクリップ４３を垂れ下げ設けた構成となっている。
移動係留体取付け部付き携帯電話等１２２は、安全ピン１２３のピンを差し込むピン穴を有するピン受けからなる移動係留体取付け部１２４を設けた構成となっている。
このクリップ４３には名札などを係止するなどに使用する。
また、クリップ４３を回動可能にして、ワイシャツなどの前縁に係止して、携帯電話等が走るなどの大きな動作でも振れないようにするのもよい。このような使用では、携帯電話等が振れないようにするのであるから、携帯電話等に面ファスナなどによりクリップ４３や該４３を下げる部位などが固定されるようにするのがよい。
【００３２】
＜第２１の実施の形態＞
図２５に示す本発明を実施するための第２１の実施の形態において携帯電話等取付け手段付き移動係留体１２６、移動係留体取付け部付き携帯電話等１２７は次のようになっている。
携帯電話等取付け手段付き移動係留体１２６は、可動体２３に貫通孔からなる携帯電話等取付け手段１２８が設けられている。
携帯電話等取付け手段１２８は、貫通しない構成もよい。
移動係留体取付け部付き携帯電話等１２７は、携帯電話等本体１０５に携帯電話等取付け手段１２８に挿入される薄板部材形態の移動係留体取付け部１２９が設けられ、該１２９の先端には折れ嵌合部１３０が設けられ、携帯電話等本体１０５には折れ嵌合片１３０が折れ嵌合して係止される受け凹嵌合部１３１を設けた構成となっている。
【００３３】
＜第２２の実施の形態＞
図２６に示す本発明を実施するための第２２の実施の形態において移動係留体取付け部付き携帯電話等１３３は次のようになっている。
移動係留体取付け部付き携帯電話等１３３は、前記実施の形態１９の移動係留体取付け部付き携帯電話等１１６の構成の移動係留体取付け部１１２を、携帯電話等本体１０５から出没させることができるようにした移動係留体取付け部１３４としたものである。
【００３４】
＜第２３の実施の形態＞
図２７に示す本発明を実施するための第２３の実施の形態において１３６は名札ケース付き移動係留体であって、この名札付き移動係留体１３６は移動係留体５と、可動部２３に取付けられた名札ケース１３７とからなっている。
【００３５】
＜第２４の実施の形態＞
図２８に示す本発明を実施するための第２４の実施の形態において前記第１の実施の形態１と主に異なる点は、首掛けループ部に替えてロープ２の上部端にクリップ４３、４３を設けた携帯電話等首吊げ具１３８を形成している点にある。
主に、クリップ４３、４３を襟端に係止して下げる。
【００３６】
＜第２５の実施の形態＞
図２９に示す本発明を実施するための第２５の実施の形態において携帯電話等首下げ具１４０は、首に掛けるロープ２と、このロープ２の下方に設けられた携帯電話等７を吊り下げるための細紐からなるワイヤ１１、雌連結具１４１と雄連結具１４２とからなる着脱連結具７８とからなる携帯電話等吊り下げ部１４３と、ロープ２により首に掛けるための首掛けループ部３を形成し且つ該首掛けループ部３の大きさを自在に変えることができるようにするための、ロープ２を通すとともに該ロープ２上を移動させることができ且つ好みの位置に係留することができるロープをロックするロープ係留部４を有するロープストッパーからなる移動係留体５と、この移動係留体５に設けられた、携帯電話等７に設けられたフック掛け手段である吊られ側係合手段１４４、この吊られ側係合手段１４４と係わり合って携帯電話等７を移動係留体５に着脱自在に係止するフックである移動係留体側係合手段１４５とから構成されている。
図では移動係留体側係合手段１４５は装飾体６の前部に設けられているが、下部に一体的あるいは他部材フックを吊るように設けるのもよいし、可動体２３あるいはストッパー本体２０に設けるのも良い。
装飾体の下部にフックを吊るすように設けてなるものは、装飾体が携帯電話の上に位置してアクセントとなり、首の根元に装飾体を位置させても違和感のない装着を実現する。
また、装飾体正面にフックがないものであるので、ロープロックを解除する指で摘む操作において、邪魔物がないので操作が行いやすい。
【００３７】
＜第２６の実施の形態＞
図３０に示す本発明を実施するための第２６の実施の形態において前記第２５の実施の形態と主に異なる点は、装飾体６の上部に吊られ側係合手段１４４を掛ける移動係留体側係合手段１４７を設けてなる携帯電話等首下げ具１４８を形成した点にある。
携帯電話等７をより首に近い部位に持って行くことができるとともに、よりブラブラ感の振れが小さくできる。
【００３８】
＜第２７の実施の形態＞
図３１に示す本発明を実施するための第２７の実施の形態において前記第２５の実施の形態と主に異なる点は、ストッパー本体２０に磁石である移動係留体側係合手段１５０を設け、携帯電話等７に移動係留体側係合手段１５０に磁着する鉄板である吊られ側係合手段１５１を設けてなる携帯電話等の下げ具１５２を形成した点にある。
【００３９】
＜第２８の実施の形態＞
図３２に示す本発明を実施するための第２８の実施の形態において前記第１の実施の形態と主に異なる点は、ロープ２の下端の夫々にゴムなどの弾性体からなるフック１５４ａ、１５４ｂを設けてなる携帯電話等の下げ具１５５を形成した点にある。
ロープ２の垂れ下がり部分が邪魔な場合は、フック１５４ａ、１５４ｂを移動係留体５の上のロープ２部位に掛けて、ロープの垂れ下がりを短くする。
【００４０】
＜第２９の実施の形態＞
図３３に示す本発明を実施するための第２９の実施の形態において前記第１の実施の形態と主に異なる点は、ロープ２の下端の夫々に鉄製の端飾り１５７ａ、１５７ｂを設け、移動係留体５に磁石１５８を設けてなる携帯電話等の下げ具１５９を形成した点にある。
ロープ２の垂れ下がり部分が邪魔な場合は、端飾り１５７ａ、１５７ｂを移動係留体５の磁石１５８に磁着させてロープの垂れ下がりを短くする。
磁石と鉄は反対の関係でも良いことはいうまでもない。
移動係留体５の表側および裏側あるいはいずれか一方に磁石を設ければよい。
【００４１】
＜第３０の実施の形態＞
図３４に示す本発明を実施するための第３０の実施の形態において前記第１の実施の形態と主に異なる点は、ロープ２の一方の端を移動係留体５に固定してなる構成とした携帯電話等の下げ具１６０を形成した点にある。
ロープ２の下がり先端にはクリップ１５９と面ファスナフック側１５８が設けられ、首掛けループ部３の向かって右側に設けられた面ファスナループ側１６１にロープ２を首の後ろ廻すなどして係止できるようになっている。
【００４２】
＜第３１の実施の形態＞
図３５に示す本発明を実施するための第３１の実施の形態において前記第１の実施の形態と主に異なる点は、ロープ２の下端の一方に鉄製の端飾り１６２を設け、もう一方に磁石製の端飾り１６３を設けてなる携帯電話等の下げ具１６４を形成した点にある。
端飾り１６２と端飾り１６３を首に後ろで付着させて、ロープ２の垂れ下がりを殆どない状態とすることができる。
移動係留体５の表側および裏側あるいはいずれか一方に磁着材を設ければ、移動係留体５にロープ２の下端を磁着してロープ２の垂れを無くすことができる。
移動係留体５の前部には磁着板１６５が設けられ、端飾り１６２と端飾り１６３が磁着できるようになっている。この場合、端飾り１６２と端飾り１６３は磁石である。
首掛けループ部３の両側に磁着部材１６１ａ、１６１ｂが設けられ、端飾り１６２、１６３を磁着係止できるようになっている。
磁石と磁着部材をマジックテープ（登録商標）などの面ファスナによる弱係合によるものとするのもよい。このような非磁性体にようる弱引っ掛かり形態による係合とすることにより、磁気による磁気カードなどへの悪影響を心配することがなく、弱係合であるので引っかかっても簡単に係合が解けるので引っかかる心配も少ないものである。この点で、ロープ（ワイヤ、ケーブルなども含まれる）磁石や面ファスナなどの係合手段を設けたものを本発明の技術的範疇に含まれるものである。
面ファスナを係合手段として用いる場合は、係合手段を平形態とし裏表両面に同じ機能側（ロープの一方の端部にフック部材とフック部材、他方の端部にループ部材とループ部材）を設けるのが良い。こうすることにより、首の後ろに廻し係合する場合は面ファスナ同士を合わせるだけで係合できるので操作しやすい。
【００４３】
＜第３２の実施の形態＞
図３６および図３７に示す本発明を実施するための第３２の実施の形態において前記第１の実施の形態と主に異なる点は、ロープを薄平形態のロープ１６６にして、ロープの薄形態により薄形態に形成した可動部１６７、胸元等に当たっても突起当り感という不可感を感じないようにするための薄形態とし且つ幅広形態に形成したストッパー本体１６８とからなるロープストッパー１６９を設け、形態話等７にはループ面ファスナ１７０を粘着剤１７１で貼り付け、ロープストッパー１６９にはフック面ファスナ１７２を粘着剤１７１で貼り付け、面ファスナの係合によりロープストッパー１６９に携帯電話等７が着脱できる携帯電話等の下げ具１７３を形成した点にある。
付勢手段は板バネ形態のものが使用されている。
携帯電話等の傾きのない垂直な下げを実現する。
面ファスナは逆の取付けでも良いことは言うまでもない。
【００４４】
＜第３３の実施の形態＞
図３８に示す本発明を実施するための第３３の実施の形態において前記第３２の実施の形態と主に異なる点は、ループ面ファスナ１７０の側に掛け穴（図示せず）を有する掛け穴部１７５を設け、フック面ファスナ１７２側に掛け穴部１７５が掛かる掛け部１７６を設け、ストッパー本体１６８にソフト部材１７７を設けてなる携帯電話等の下げ具１７８を形成した点にある。
【００４５】
＜第３４の実施の形態＞
図３９に示す本発明を実施するための第３４の実施の形態において前記第３３の実施の形態と主に異なる点は、ループ面ファスナ１７０に替えて磁石１８０を設け、フック面ファスナ１７２に替えて鉄板１８１を設け、ストッパー本体１６８の下方に携帯電話等７との間に形成される隙間を同じに維持する突起１８２を設けてなる携帯電話等の下げ具１８３を形成した点にある。
【００４６】
＜第３５の実施の形態＞
図４０に示す本発明を実施するための第３５の実施の形態において前記第３４の実施の形態と主に異なる点は、ロープ１８４を鎖からなる首掛けループ部１８５とロープストッパー１６９に通した細い係留支持案内ワイヤ１８６ａ、１８６ｂとからなるものとした携帯電話等の下げ具１８７を形成した点にある。
ワイヤ１８６ａ、１８６ｂを通す穴は、対応した形態の穴である。
【００４７】
＜第３６の実施の形態＞
図４１に示す本発明を実施するための第３６の実施の形態において前記第３４の実施の形態と主に異なる点は、磁石１８０を前部を露出して鉄製囲１９０で囲ってなる係止手段１９１を形成し、鉄製囲１９２からなる磁石１８０の露出部位が嵌り磁着する係止手段１９３を設けてなる携帯電話等の下げ具１９４を形成した点にある。
このような構成とすることにより、磁着を強めることができ、磁石を薄いものとすることができる。
【００４８】
＜第３７の実施の形態＞
図４２に示す本発明を実施するための第３７の実施の形態において前記第３６の実施の形態と主に異なる点は、ロープストッパー１６９の上方に独立した首掛けループ部３を形成するループ形成体であるロープストッパー１９５を設けてなる携帯電話等の下げ具１９６を形成した点にある。この場合いはロープストッパー（移動係留体）１６９は首掛けループ部３をけいせいするものではない。
図４２において、ネクタイ１９７に携帯電話７を差込支持する底抜けの携帯電話保持部１９８を設けている。ロープストッパー１６９のロープロックを解除してそのまま上下させて、携帯電話７を携帯電話保持部１９８に入れ保持する。
これにより、携帯電話はネクタイの裏側に隠されて見えなくなり、ネクタイの揺れと一緒になって揺れるので、ビジネスマンは違和感のない携帯電話等の携帯を実現する。
ロープストッパー１９５を首元に位置させることにより、ロープストッパー１６９が下方にあっても、ロープ２を合わせ形態にしてネクタイの下に完全に隠すということができる。
【００４９】
＜第３８の実施の形態＞
図４３に示す本発明を実施するための第３８の実施の形態において前記第１の実施の形態と主に異なる点は、移動係留体５に巻取り付勢力により携帯電話等７を吊り下げるワイヤ２００を巻き取っている付勢巻取り手段２０１を設けてなる携帯電話等の下げ具２０２を形成した点にある。
【００５０】
＜第３９の実施の形態＞
図４４に示す本発明を実施するための第３９の実施の形態において携帯電話等の下げ具２０５は、ロープ２と、このロープ２に移動自在で且つ係留される移動係留体５と、ロープ２の下端に設けられた付勢巻取り手段２０１と、この付勢巻取り手段２０１のロープ２００に取付けられた着脱連結具７８と、この着脱連結具７８に繋がれた携帯電話等７を吊り下げるためのワイヤ１１とからなっている。
【００５１】
＜第４０の実施の形態＞
図４５に示す本発明を実施するための第４０の実施の形態において携帯電話等の下げ具２１０は、上部の接着部２１１と下部の接着部２１２に粘着剤１７１を同一面側に夫々設け、下方に折り目２１３を設けてなる腰のある透明プラスチック製薄板部材からなる連結体２１４により、接着部２１１に移動係留体５を接着し、携接着部２１２を帯電話等７に接着して使用する。
折り目２１３で折り移動係留体５を充電口２１５簡単にずらすので充電の邪魔にならない。
移動係留体５の背部と携帯電話等７の背部が同一垂直面となるので、移動係留体５が下げた胸元や首したに突起当りをしないので、長時間下げていても違和感を感じさせないという効果を得ることできる。
【００５２】
＜第４１の実施の形態＞
図４６に示す本発明を実施するための第４１の実施の形態において前記第４０の実施の形態と主に異なる点は、連結体の構成を硬質弾性透明樹脂部材形成し、上部の接着部２１１と下部の接着部２１２の間を幅狭のくびれ部２１７とした連結体２１８とした携帯電話等首下げ具２１９を形成した点にある。
【００５３】
＜第４２の実施の形態＞
図４７に示す本発明を実施するための第４２の実施の形態において携帯電話等首下げ具２２１は、ロープ２に携帯電話等取付け手段３４を備えた移動係留体３５を取付けた構成となっている。
携帯電話等２２３は携帯電話等本体１０５の上部左右側部に掛け手段取付け穴２２２ａ、２２２ｂを設け、この掛け手段取付け穴２２２ａ、２２２ｂに回動自在に硬めの針金状部材からなる頂上が平らな山形の掛け手段２２４を設けた構成となっている。
掛け手段２２４を携帯電話等取付け手段３４に掛けて、携帯電話等を吊り下げる。
【００５４】
＜第４３の実施の形態＞
図４８に示す本発明を実施するための第４３の実施の形態において、携帯電話等２２６は携帯電話等本体１０５の上部背部に掛け手段取付け穴２２２ａ、２２２ｂを有する掛け手段取り付け部２２７を凸設させ、掛け手段取付け穴２２２ａ、２２２ｂに回動自在に硬めの針金状部材からなる四角形態の掛け手段２２８を設けた構成となっている。
掛け手段２２８を携帯電話等取付け手段３４に掛けて、携帯電話等を吊り下げる。
【００５５】
＜第４４の実施の形態＞
図４９に示す本発明を実施するための第４４の実施の形態において、携帯電話等２３０は携帯電話等本体１０５の上部背部に掛け手段支持部２３１を凸設させ、この掛け手段支持部２３１に上方にスライド突出させることができるようにスライド自在に四角形の枠体からなる掛け手段２３２を設けた構成となっている。
掛け手段２３２を上げて携帯電話等取付け手段３４に掛けて、携帯電話等を吊り下げる。
【００５６】
＜第４５の実施の形態＞
図５０に示す本発明を実施するための第４５の実施の形態において、携帯電話等２３４は携帯電話等本体１０５の上部背部に掛け手段取付け穴２２２ａ、２２２ｂを左右側部に有する薄凸台敬愛の掛け手段取付け部２３５を設け、掛け手段取付け穴２２２ａ、２２２ｂに硬い針金部材で四角形に形成された掛け手段２３６が回動自在に設けられた構成となっている。
掛け手段２３６を上げて携帯電話等取付け手段３４に掛けて、携帯電話等を吊り下げる。
【００５７】
＜第４６の実施の形態＞
図５１に示す本発明を実施するための第４６の実施の形態において、携帯電話等２３８は携帯電話等本体１０５の上部内側から硬い針金部材で四角形に形成された掛け手段２３９が引き出し自在に設けられた構成となっている。
掛け手段２３９を上げて携帯電話等取付け手段３４に掛けて、携帯電話等を吊り下げる。
【００５８】
＜第４７の実施の形態＞
図５２に示す本発明を実施するための第４７の実施の形態において、移動係留体付きケース２４１は底有りケース本体２４２の背部上方に回動自在に硬い針金部材で四角形に形成された掛け手段２４３を設、掛け手段２４３を携帯電話等取付け手段３４に掛け取付けた構成となっている。
この構成にロープ２を取付けて携帯電話等の下げ具を構成している。
【００５９】
＜第４８の実施の形態＞
図５３に示す本発明を実施するための第４８の実施の形態において、移動係留体付きケース２４５は底有りケース本体２４２の背部上方に面ファスナ付きバンドからなる掛け手段２４６を設、掛け手段２４６を携帯電話等取付け手段２８に掛け取付けた構成となっている。
この構成にロープ２を取付けて携帯電話等の下げ具を構成している。
【００６０】
＜第４９の実施の形態＞
図５４に示す本発明を実施するための第４９の実施の形態において、携帯電話等首下げ具２４８は薄板部材からなる連結体２４９と、この連結体２４９に横並びに設けられた付勢巻取り手段２０１ａ、２０１ｂと、付勢巻取り手段２０１ａ、２０１ｂの上方連結体２４９に設けられた移動係留体５と、ロープ２（図では省略）とから構成されている。
付勢巻取り手段２０１ａ、２０１ｂのワイヤ２００、２００の端を携帯電話等７に取付けて使用する。
携帯電話等が裏返らない構成を実現する。
【００６１】
＜第５０の実施の形態＞
図５５に示す本発明を実施するための第５０の実施の形態において携帯電話等首下げ具２５１は、薄板部材からなる連結体２４９と、この連結体２４９の下側に設けられた発条などの付勢手段によりベルト２５２を巻き取るベルト付勢巻き取り手段２５３と、上側に設けられた移動係留体５と、ロープ２（図では省略）とから構成されている。２５４はベルト掛け部。
【００６２】
＜第５１の実施の形態＞
図５６に示す本発明を実施するための第５１の実施の形態においてロープストッパー２５５は、実施の形態１のロープストッパー５のストッパー本体２０の背部に該２０と一体成型により形成された下げ部２５６を設け、この下げ部２５６の下部に形成された主に粘着剤や面ファスナを貼り付ける携帯電話等取付け手段２５７を設け、携帯電話等取付け手段２５７の下部にロープ掛け部２５８を設け、吊るされた携帯電話等７の上方にストッパー本体２０が位置し、携帯電話等７の背部とストッパー本体２０の背部が略同じ面となるようにしてなる構成となっている。
ロープストッパー２５５と該２５５に通されたロープ２により携帯電話等首下げ具２６０を形成している。
折り部２５９により、携帯電話等に充電のする場合はロープストッパー２５５が邪魔にならないように折り向きを変え、携帯電話等取付け手段２５７の携帯電話等７との接着面に剥がそうとする力を折れることにより逃がす。
ストッパー本体２０の背部に該２０と一体成型により下げ部２５６を設けた構成となっているが、この下げ部２５６を可動部２３と一体成型により設けてなる構成もよいことは言うまでもない。このことは、本実施の形態の以前および以後の実施の形態のものについても言えることである。
【００６３】
＜第５２の実施の形態＞
図５７に示す本発明を実施するための第５２の実施の形態において前記第５１の実施の形態と主に異なる点は、下げ部２５６の下部に携帯電話等７に取付けられた、吊るされる側連結部２６２に着脱自在に嵌合連結される嵌合連結部（携帯電話等取付け手段）２６３を設けてなるロープストッパー２６４を形成した点にある。
吊るされる側連結部２６２は、中空平板筒状形態の連結部本体２６５と、この連結部本体２６５の下方量側部をカットして形成したフック係り部２６６ａ、２６６ｂとからなっている。
嵌合連結部２６３は、二本の連結棒体２６７ａ、２６７ｂと、この連結棒体２６７ａ、２６７ｂの中途側部に突き出すように設けられた、フック係り部部２６６ａ、２６６ｂに内側から外側に付勢出て掛かるフック２６８ａ、２６８ｂとからなっている。
吊るされる側連結部２６２に嵌合した連結棒体２６７ａ、２６７ｂの該２６２の下部に突き出た部位を指で摘み抑え萎め押すことにより外すことができる。
折り部２５９を設けない構成としたことにより、ストパー本体２０を携帯電話等７の上方に後方に突き出さないように支持することができる。
吊るされる側連結部２６２の胴部分をもっと長めにして、下げ部２５６を支持する支持力を強くするのがよい。
ロープ２とロープストッパー２６４とで携帯電話首下げ具２６９を形成している。
【００６４】
＜第５３の実施の形態＞
図５８に示す本発明を実施するための第５３の実施の形態において移動係留体と携帯電話等の連結具２７０は、板部材やシート部材などからなる連結具本体２７１と、この連結具本体２７１の上部側を形成する移動係留体５を取付ける移動係留体取付け部２７２と、連結具本体２７１の下方側に形成された携帯電話等７を取付けるための携帯電話等取付け手段２５７と、携帯電話等取付け手段２５７の下部に形成されたロープ掛け部２５８と、連結具本体２７０の上部に移動係留体５に通されたロープ２を通すためのロープ通し孔２７６を有する折り目２７３で折り曲げられる落下防止部２７４とからなっている。
移動係留体５には両面粘着テープ１７１で取付け、携帯電話等７には面ファスナ２７５ａ、２７５ｂにより接合するようにしている。
ロープ５を通した移動係留体５と移動係留体と携帯電話等の連結具２７０とで携帯電話等首下げ具２７６を形成している。
移動係留体と携帯電話等の連結具は反り曲がりが行い難い硬質材の場合は折り目が必要で、反り曲が簡単にできるものや弾性反発の弱いソフト材の場合は折り目は必要ない。
【００６５】
＜第５４の実施の形態＞
図５９に示す本発明を実施するための第５４の実施の形態において前記第５３の実施の形態と主に異なる点は、下げ部２５６の下部に携帯電話等７に取付けられた、吊るされる側連結部２６２に着脱自在に嵌合連結される嵌合連結部（携帯電話等取付け手段）２６３を設けてなる移動係留体５と移動係留体と携帯電話等の連結具２７８を形成した点にある。
折り部２５９を設けない構成としたことにより、ストパー本体２０を携帯電話等７の上方に後方に突き出さないように支持することができる。
ロープ５を通した移動係留体５と携帯電話等の連結具２７８とで携帯電話等首下げ具２７９を形成している。
【００６６】
＜第５５の実施の形態＞
図６０に示す本発明を実施するための第５５の実施の形態において前記第５１の実施の形態と主に異なる点は、携帯電話等取付け手段２５７の下部に細長形態の下部にロープ掛け穴を有するロープ掛け部２８３を設けてなるロープストパー２８１を形成した点にある。
携帯電話等の落下防止のためのワイヤ１１や着脱連結具７８が携帯電話等と身体の間に位置しないようにして、突起当り違和感やロープ２の絡みが起きないようにできる
ロープ５を通したロープストッパー２８１で携帯電話等首下げ具２８２を形成している。
【００６７】
＜第５６の実施の形態＞
図６１に示す本発明を実施するための第５６の実施の形態において前記第５４の実施の形態と主に異なる点は、携帯電話等取付け手段２５７の下部に細長形態の下部にロープ掛け穴を有するロープ掛け部２８３を設けてなる移動係留体と携帯電話等の連結具２８５を形成した点にある。
ロープ５を通した移動係留体５と移動係留体と携帯電話等の連結具２８５とで携帯電話等首下げ具２８６を形成している。
【００６８】
＜第５７の実施の形態＞
図６２に示す本発明を実施するための第５７の実施の形態において前記第５５の実施の形態と主に異なる点は、背部に携帯電話等の身体への硬い当り感や接触感を感じさせないようにするためのソフトパット２８９を設けたロープストッパー２９０を形成した点にある。
ロープ５を通したロープストッパー２９０で携帯電話等首下げ具２９１を形成している。
【００６９】
＜第５８の実施の形態＞
図６３に示す本発明を実施するための第５８の実施の形態において前記第５５の実施の形態と主に異なる点は、背部に携帯電話等の身体への硬い当り感や接触感を感じさせないようにするためのソフトパット２９３を設けた移動係留体と携帯電話等の連結具２９４を形成した点にある。
ロープ５を通した移動係留体５と移動係留体と携帯電話等の連結具２９４とで携帯電話等首下げ具２９１を形成している。
移動係留体と携帯電話等の連結具２９４は面ファスナ２７５ａ、２７５ｂで接合している。
ソフトパットの携帯電話との接触側を滑り止めとすることにより携帯電話とのズレを少なくできる。
両側を滑り止めとすることにより、携帯電話の振れを少なくできる。
両側を滑り形態あるいはいずれか一方を滑り形態でもう一方を滑り止め形態とするなどもよい。
【００７０】
＜第５９の実施の形態＞
図６４に示す本発明を実施するための第５９の実施の形態において前記第５５の実施の形態と主に異なる点は、ストッパー本体２０の背部に添え板支持部２９２を設け、添え板支持部２９２に差込む添え板２９３を設けてなるロープストッパー２９４を形成した点にある。２９６は下部添え板支持部。
添え板２９３は添え板支持部２９２に差込み下げ部２５６の携帯電話等７の重量による反りおよび折り部２５９の折れを阻止して、ストッパー本体２０部位が携帯電話等７を吊り下げた状態において該７上に位置して後方に傾き突き出さないようにするためのものである。
添え板２９３は弾性弓形に形成されていて、この弓形態によりストッパー本体２０を前方へと押し、一方添え板２９３が添え板支持部２９２から抜け難くしている。
一般的には携帯電話の充電口は底部に設けてあり、ロープストッパー２９４に該携帯電話は逆さに吊るすことが多く、そのためストッパー本体２０が上部に固定されたのでは、充電装置が連結できないという問題が生じるが、本実施の形態では添え板２９３を外すことにより、ストッパー本体２０を後方に追いやって、連結充電することができる。
ロープ５を通したロープストッパー２９４で携帯電話等首下げ具２９５を形成している。
【００７１】
＜第６０の実施の形態＞
図６５に示す本発明を実施するための第６０の実施の形態において前記第５５の実施の形態と主に異なる点は、ロープストッパー２８１の背部に携帯電話等７側に掛かる長めの面ファスナ２７５ａを設け、ロープストッパー２８１の背部に固定して該２８１のヘタリ、反り、折れを阻止して真直ぐ性を保持するための添え板２９８も設けた構成とした点にある。
このような形態としても、前記第５９の実施の形態と同じような効果をえることができる。
ロープストッパー２８１と添え板２９８とロープ２とで携帯電話等の下げ具２９９を形成している。
【００７２】
＜第６１の実施の形態＞
図６６に示す本発明を実施するための第６１の実施の形態において前記第５５の実施の形態と主に異なる点は、下げ部３００を幅広状態を携帯電話等７の下方まで届く形態とし、下部に粘着材１７１を設け、携帯電話の上部側に接合する面ファスナ２７５ａを設け、この面ファスナ２７５ａの下方下げ部３００に折り部２５９を設けてなるロープストッパー３０１を形成した点にある。
面ファスナ２７５ｂを携帯電話等７の背部上方に設け、面ファスナ２７５ａを付着させるようにしている。
ロープストッパー３０１とロープ２により携帯電話等の下げ具３０２を形成している。
【００７３】
＜第６２の実施の形態＞
図６７に示す本発明を実施するための第６２の実施の形態においてロープストッパー３０４は、ストッパー本体２０（図示）あるいは可動部２３と一体成型により設け下げた携帯電話等７の下方にまで届く形態の下げ部３０５と、この下げ部３０５の下部に下げ設けられた嵌合連結部２６３とからなっている。
必要部品として、嵌合連結部２６３を嵌合連結するための吊るされる側連結部２６２と下げ部３０５を中途で支持するための下げ部支持部品３０６が設けられている。
携帯電話等７の上方に下げ部支持部品３０６を両面テープなどで取付け、吊るされる側連結部２６２を下方に取り付ける。この二つの部品に上方から嵌合連結部２６３と下げ部３０５を貫き装着する。
充電などをする場合などは、嵌合連結部２６３を操作して外して行うことができる。
前記部品群とロープ２で携帯電話等の下げ具３０７を構成する。
下げ部３０５にワイシャツなどの袷を挟持するようなクリップを設けるのも良く、このクリップでワイシャツの袷を挟持することにより、軽く走っても携帯電話等が振れないようにでき、また前かがみになっても携帯電話が身体側から離れ垂れることをなくすことができるので、そのような場合には便利である。
【００７４】
＜第６３の実施の形態＞
図６８に示す本発明を実施するための第６３の実施の形態においてロープストッパー３１２は、ストッパー本体２０（図示）あるいは可動部２３と一体成型により設け下げた下げ部３０８と、この下げ部３０８に連結軸３０９により連結された携帯電話等取付け手段３１０とからなっていて、ストパー本体２０および下げ部３０８は連結軸３０９を軸に回動自在に設けられている。
ロープストッパー３１２とロープ２で携帯電話等の下げ具３１１を形成している。
【００７５】
＜第６４の実施の形態＞
図６９に示す本発明を実施するための第６４の実施の形態において前記本発明を実施するための第１の実施の形態と主に異なる点は、ロープストッパー２５５の下部にイヤホン３１５、マイク３１６、クリップ３１７、接続端子３１８を繋いだ送信ケーブル３１９を係止するケーブル係止部３２０を設けてなる携帯電話等の下げ具３２１を形成した点にある。３２２はイヤホン接続部。
【００７６】
＜第６５の実施の形態＞
図７０に示す本発明を実施するための第６５の実施の形態において前記本発明を実施するための第１の実施の形態と主に異なる点は、イヤホン装置３２４を装着した点にある。
イヤホン装置３２４は、チューブ形態で長手方向に裂かれたようなロープ挿入口３３０を形成してあって、首掛けループ部３をロープ挿入口３３０からいれて該３を包み込み該３に装着される首掛け部３２５と、この首掛け部３２５の内部を通された送信ケーブル３２６と、この送信ケーブル３２６の両端に設けられたイヤホン３２７、３２８と、送信ケーブル３２６の適宜な部位から延び出た接続端子３１８を設けた接続ケーブル３２９とからなっている。
首掛け部３２５は中が滑り形態となっていて、通されたロープ２が自在に抵抗感少なく移動できるようになっている。
携帯電話等７を首元に上げ係留した状態で接続端子３１８をイヤホン接続部３２２に接続してイヤホンモードで使用でき、携帯電話等７を下げる場合は接続端子３１８をイヤホン接続部３２２から外して行う。
このような使用となるが、それでも接続ケーブル３２９は殆ど邪魔にならない程度の長さですみ、スマートな装着形態を実現する。
首の背部にロープを突出させたりすることなく、身体前方のみの簡単操作で携帯電話等を上下係留させることが自在に行え、且つ、接続ケーブル３２９が短いので、イヤホンの装着使用感および装着スタイルが大変良いという効果を得ることができる。
この接続ケーブルを短くして、携帯電話等が首元など上方に係留した場合のみイヤホンと携帯電話等を接続できるようにしてなる構成は、前述した従来技術は無い構成であり、このネックストラップにイヤホンを設けた構成において体接続ケーブルを短くするという技術思想は新規性および進歩性があるものである。
【００７７】
＜第６６の実施の形態＞
図７１に示す本発明を実施するための第６６の実施の形態において前記本発明を実施するための第６７の実施の形態と主に異なる点は、移動係留体５の背部側に該５と一体成型により下がり体３３２を設け、この下がり体３３２の前部に深い形態のフック部３３３を設け、下がり体３３２の背部にイヤホンケーブル３１９のあまり部分を収納するソフトケース３３４を設けてなる携帯電話等の下げ具３３５を形成した点にある。３３６は携帯電話等７に設けてあるフック掛け部。
ソフトケース３３４に変えて、ＩＣカードなどのカードポケットを設けるのもよい。当然ソフトケース３３４もハードケースもカードポケットとなるものである。
フック部３３には携帯電話等７に取付けたリング形態のワイヤ１１が掛けられ、落下防止の安全装置として機能するようになっている。
【００７８】
＜第６７の実施の形態＞
図７２に示す本発明を実施するための第６７の実施の形態において前記本発明を実施するための第１の実施の形態と主に異なる点は、首掛けループ部３の衿前部横に位置する部位に送信ケーブル３１９が固定手段３３８で摩擦滑り移動できる程度ように固定されていて、送信ケーブル３１９の接続側には連結部３３９が設けられ、携帯電話等７には連結部３３９と連結される連結部３４０を有する送信ケーブル３４１が接続端子３１８をイヤホン接続部３２２に接続するようにしてなる携帯電話等の下げ具３４２を形成した点にある。
連結部３３９と連結部３４０は磁石で磁着連結する形態を採用しており、携帯電話等７を下げた場合は引っ張られてその連結が簡単に外れるようになっている。
【００７９】
＜第６８の実施の形態＞
図７３に示す本発明を実施するための第６８の実施の形態において前記本発明を実施するための第６５の実施の形態と主に異なる点は、接続ケーブル３２９を長い接続ケーブル３４４に替え該３４４を弱付勢スプリング３４５で中とを吊り状態にしてなる点である。
【００８０】
＜第６９の実施の形態＞
図７４および図８０に示す本発明を実施するための第６９の実施の形態において前記本発明を実施するための第６６の実施の形態と主に異なる点は、ロープ２の両端部に設けた磁石である端飾り１６２、１６３を緩いスプリング材３４７、３４８で吊ってなる携帯電話等提げ具３４９を形成した点にある。
これにより、首の後ろで端飾り１６２、１６３を連結する場合には、スプリング材３４７、３４８が延びるので、余裕を持った使用が出来るという効果を得ることができる。
図８０によってその使用操作例を説明する。
着信があったら手で蓋部３５６を手で軽く摘み（図中ａ）、蓋部３５６を手前に倒すように開きディスプレー３５４の表示を確認し、親指で着信ＯＮボタン３５８を押し（図中ｂ）、そのまま手を携帯電話３５１を耳に当てて通話を行う（図中ｃ）。
この間、電話は掴んだ手は電話を移動させる操作なく、最初の掴んだ状態で通話まで行うことができる。
＜付記＞
（請求項１）携帯電話本体と、
この携帯電話本体の主ディスプレーと、
前記携帯電話本体の前記主ディスプレー上方あるいは側方に設けられた着信ＯＮボタンとからなることを特徴とする携帯電話装置。
（請求項２）携帯電話本体と、
この携帯電話本体の主ディスプレーと、
この主ディスプレーの裏側に設けられたサブディスプレーと、
前記携帯電話本体の前記サブディスプレー上方あるいは側方に設けられた着信ＯＮボタンとからなることを特徴とする携帯電話装置。
（請求項３）携帯電話本体と、
この携帯電話本体の主ディスプレーと、
前記携帯電話本体の前記主ディスプレー上方あるいは側方に設けられた着信ＯＮボタンおよび着信ＯＦＦボタンとからなることを特徴とする携帯電話装置。
（請求項４）携帯電話本体と、
この携帯電話本体の主ディスプレーと、
この主ディスプレーの裏側に設けられたサブディスプレーと、
前記携帯電話本体の前記サブディスプレー上方あるいは側方に設けられた着信ＯＮボタンおよび着信ＯＦＦボタンとからなることを特徴とする携帯電話装置。
（請求項５）
携帯電話本体と、
この携帯電話本体に設けられた主ディスプレーと、
この主ディスプレーの上方に設けられた数字、記号、着信ＯＮボタンなどの操作ボタン群とからなることを特徴とする携帯電話。
（技術分野）
（０００１）
本発明は、首に提げ携帯した場合に操作がし易い携帯電話に関する。
（背景技術）
（０００２）
携帯電話に着信があった場合に、通話可能とするための着信ＯＮボタンおよび着信ＯＦＦボタンは、携帯電話本体のキーボード側に設けられている。
（発明の開示）
（発明が解決しようとする課題）
（０００３）
前述した従来技術は、携帯電話を首に吊り下げ且つその携帯電話を胸上などの高い位置にした状態においては、着信時に携帯電話を提げることなく耳に持って行き通話を行うことができる。携帯電話を逆さ吊りにすることによりその操作が大変行い易い、特に折り畳み形態では操作しやすくなる。
ところが、着信ＯＮボタンが携帯電話のキーボート側にあり、結果、逆さ吊り状態では上側となり、携帯電話を握り且つ開く手はディスプレー側を握るために、ディプレーの表示を確認して着信ＯＮボタンを推すためには、指をムカデの足のごとく数回動かしてキーボード側を握り着信ＯＮボタンを押さなければならず、素早く着信ＯＮ操作が出来ない、大変に操作がやり難いという欠点があった。
サブディスプレーを設けてなる携帯電話においては、着信情報は見れるのであるが、着信はやはり携帯電話を開き指で着信ボタンを押せるところまで指が行くように携帯電話を動かして操作しなければならないという欠点があった。
（０００４）
本発明は上述し従来の欠点に鑑みてなされたものであって、その目的は、吊り下げ状態が胸元や首近くにあっても、着信ＯＮボタンの操作が素早く行える携帯電話を提供することを目的としている。
携帯電話を握り開くことなくそのまま着信ＯＮボタンを操作することができる携帯電話を提供することを目的としている。
（発明の効果）
（０００５）
以上の説明から明らかなように、本発明にあっては次に列挙する効果が得られる。
＜請求項１記載の発明の効果＞
携帯電話本体と、この携帯電話本体の主ディスプレーと、前記携帯電話本体の前記主ディスプレー上方あるいは側方に設けられた着信ＯＮボタンとで携帯電話装置を構成しているので、
主ディスプレーのある表側の蓋体を手で握り、そのまま開いてディスプレーの表示を確認して、そのまま着信ＯＮボタンを押して、そのまま携帯電話を耳に持っていって通話ができるという、すなわち、手の握りを変えることなく着信確認から通話までが行える、大変操作しやすい携帯電話を実現するという効果を得ることが出来る。
＜請求項２記載の発明の効果＞
携帯電話本体と、この携帯電話本体の主ディスプレーと、この主ディスプレーの裏側に設けられたサブディスプレーと、前記携帯電話本体の前記サブディスプレー上方あるいは側方に設けられた着信ＯＮボタンとで携帯電話装置を構成しているので、着信があったら携帯電話を手で握り、起こしてサブディスプレーの表示を確認して、そのまま着信ＯＮボタンを押して、携帯電話を持ち方を廻すように持ち変えて開いてそのまま携帯電話を耳に持っていって通話ができるという操作しやすい携帯電話を実現するという効果を得ることが出来る。
＜請求項３記載の発明の効果＞
携帯電話本体と、この携帯電話本体の主ディスプレーと、前記携帯電話本体の前記主ディスプレー上方あるいは側方に設けられた着信ＯＮボタンおよび着信ＯＦＦボタンとで携帯電話装置を構成しているので、
主ディスプレーのある表側の蓋体を手で握り、そのまま開いてディスプレーの表示を確認して、そのまま着信ＯＮボタンを押して、そのまま携帯電話を耳に持っていって通話ができるという、すなわち、手の握りを変えることなく着信確認から通話までが行える、且つ、着信ＯＦＦ操作も握りを変えることなく操作できるので使用しやすい携帯電話を実現するという効果を得ることが出来る。
＜請求項４記載の発明の効果＞
携帯電話本体と、この携帯電話本体の主ディスプレーと、この主ディスプレーの裏側に設けられたサブディスプレーと、前記携帯電話本体の前記サブディスプレー上方あるいは側方に設けられた着信ＯＮボタンおよび着信ＯＦＦボタンとで携帯電話装置を構成しているので、
着信があったら携帯電話を手で握り、起こしてサブディスプレーの表示を確認して、そのまま着信ＯＮボタンを押して、携帯電話を持ち方を廻すように持ち変えて開いてそのまま携帯電話を耳に持っていって通話ができ、且つ、着信ＯＦＦは閉じて行うので操作し易い携帯電話を実現するという効果を得ることが出来る。
＜請求項５記載の発明の効果＞
携帯電話本体と、この携帯電話本体に設けられた主ディスプレーと、この主ディスプレーの上方に設けられた数字、記号、着信ＯＮボタンなどの操作ボタン群とで携帯電話を構成しているので、
携帯電話は首に下げている状態では、主ディスプレーが上方で操作ボタン群が下方となっているが、手を裏側に添えて持ち起こすと主ディスプレーは下方に操作ボタン群は上方に位置して、添えた手を移動させることなく添え持ったまま操作ボタン群を操作することができるので、操作が行い易いという効果を得ることができる。
（発明を実施するための最良の形態）
（０００６）
＜第１の実施の形態＞
図７４および図８０に示す本発明を実施するための第１の実施の形態において携帯電話装置３５１は、内側に操作キー３５２を有する操作部３５３と該３５３と観音開き形態に連結された内側に主ディスプレー３５４および表側（主ディスプレーの裏側）にサブディスプレー３５５を有する蓋部３５６とかなる携帯電話本体３５７と、蓋部３５６の主ディスプレー３５４上方側に設けられた着信ＯＮボタン３５８と、蓋部３５６の主ディスプレー３５４上方側に設けられた着信ＯＦＦボタン３５９と、蓋部３５６の表であるサブディスプレー３５５上方側に設けられた着信ＯＮボタン３６０と、蓋部３５６のサブディスプレー３５５上方側に設けられた着信ＯＦＦボタン３６１とからなっている。
着信ＯＮボタン（回線接続ボタン）と着信ＯＦＦボタン（回線切断ボタン）が同じボタンであるものもよい。
図８０によってその使用操作例を説明する。
着信があったら手で蓋部３５６を手で軽く摘み（図中ａ）、蓋部３５６を手前に倒すように開きディスプレー３５４の表示を確認し、親指で着信ＯＮボタン３５８を押し（図中ｂ）、そのまま手を携帯電話３５１を耳に当てて通話を行う（図中ｃ）。
この間、電話は掴んだ手は電話を移動させる操作なく、最初の掴んだ状態で通話まで行うことができる。
蓋部３５６の表であるサブディスプレー３５５上方側に設けられた着信ＯＮボタン３６０は、蓋部３５６の下方（首に下げて蓋閉じ状態では上方）に設けるのもよく、この場合はイヤホンを付けての操作において、着信があったら携帯電話を見ることとなく着信ＯＮボタンを押せばよいので、自動車を走行運転しながらでも安全な操作を実現する。また、着信ＯＮボタンと回線切断ボタン（通話ＯＦＦボタン）が同じボタンであるものも良い。
また、サブディスプレーの上方下方の両方に夫々着信ＯＮボタンを設けるのもよい。
（０００７）
＜第２の実施の形態＞
図７５に示す本発明を実施するための第２の実施の形態において両側に方に掛ける肩掛け体３６３、３６４を設け、肩掛け体３６３、３６４を端部（他の奥側部位でもよい）を繋げてなる紐３６２を設けてなる携帯電話等の下げ具３６５を形成した点にある。
また、携帯電話３６９は携帯電話本体３７６と、この携帯電話本体３７６に設けられた主ディスプレー３５４と、この主ディスプレー３５４の上方に設けられた数字、記号、着信ＯＮボタン３５８などの操作ボタン群３５２とから構成されている。
【００８１】
＜第７０の実施の形態＞
図７５に示す本発明を実施するための第７０の実施の形態において前記本発明を実施するための第６９の実施の形態と主に異なる点は、首掛けループ部３を切り離して非ループ形態とし、この両側に方に掛ける肩掛け体３６３、３６４を設け、肩掛け体３６３、３６４を端部（他の奥側部位でもよい）を繋げてなる紐３６２を設けてなる携帯電話等の下げ具３６５を形成した点にある。
首への負担を軽減した装着を実現する。
紐３６２が無いものもよい。
【００８２】
＜第７１の実施の形態＞
図７６に示す本発明を実施するための第７１の実施の形態において前記本発明を実施するための第７０の実施の形態と主に異なる点は、肩掛け体３６３、３６４に掛けて後ろ側分岐しているソフト弾性部材からなるリング首掛け体３６７を設けてなる携帯電話等の下げ具３６８を形成した点にある。
【００８３】
＜第７２の実施の形態＞
図７７に示す本発明を実施するための第７２の実施の形態において前記本発明を実施するための第６４の実施の形態と主に異なる点は、移動係留体５の左右に支持部３７０、３７１を設け、この支持部３７０、３７１に聴診器形態のイヤホン装置３７２を取付けて使用できるようにした携帯電話等の下げ具３７３を形成した点にある。
イヤホン装置３７２の下部からは接続ケーブル３２９が延びている。
イヤホン装置３７２を首に掛けることもでき、こうすることで首掛けループ３による首への負荷と、イヤホン装置３７２による首への負荷とを使い分けることができる。
したがって、イヤホン装置３７２は単なる首掛け体や肩掛け体でも良し、頭に掛ける頭掛け体をとするのもよい。
【００８４】
＜第７３の実施の形態＞
図７８に示す本発明を実施するための第７３の実施の形態において前記本発明を実施するための第７２の実施の形態と主に異なる点は、聴診器形態のイヤホン装置３７２に変えてケーブルタイプのイヤホン装置３７５を取付けた点にある。
【００８５】
＜第７４の実施の形態＞
図７９に示す本発明を実施するための第７４の実施の形態において移動係留体３７７は、ストッパー本体２０と、可動体２３と、ストッパー本体２０の下部に下げ設けられたワイヤ通り穴３７９ａ、３７９ｂを有するワイヤ分岐部３８０と、ストッパー本体２０の可動体２３の反対面に設けられたロープストッパー４６とからなっている。
ワイヤ合わせストッパー３８１に二本のワイヤ３８２ａ、３８２ｂ（ロープも含む）が設けられ、ワイヤ３８２ａ、３８２ｂはロープストッパー４６のロープ通し穴に上部から通され、ワイヤ３８２ａはワイヤ分岐部３８０のワイヤ通り穴３７９ａを通されて携帯電話等７の上部左側に繋がれ、ワイヤ３８２ｂはワイヤ分岐部３８０のワイヤ通り穴３７９ｂを通されて携帯電話等７の上部右側に繋がれて携帯電話等を吊り下げるようにしている。
ワイヤ３８２ａ、３８２ｂを引き上げてロープストッパー４６でロックしておいて、稼動体５０を押してロック状態を解除することにより、携帯電話等をその自重で落下させて下方に移動させる。
ワイヤ３８２ａ、３８２ｂによる幅広吊りを行っているので、敬太電話等が裏返ることがないという効果を得ることができる。
ワイヤ３８２ａ、３８２ｂはループを形成してなるものも良い。
ワイヤ３８２ａ、３８２ｂの端部を粘着剤をつけた取付板に繋いで、該取付板を携帯電話等に貼り付け固定する形態や、前記第６６の実施の形態（図７１）のようなフック部材にワイヤ３８２ａ、３８２ｂの端部を取付け、携帯電話等に設けたフック掛け部を掛け提げるようにするのもよい。
すなわち、ワイヤ３８２ａ、３８２ｂへの携帯電話等の吊り下げ方法は多様な方法があるのである。
移動係留体３７７とワイヤ３８２ａ、３８２ｂとロープ２で携帯電話等の下げ具３８３を形成する。
また、ロープストッパー４６に変えて付勢巻取り手段２０１を設け、そのワイヤ２００の先端にワイヤ３８２ａ、３８２ｂを設けるような形態での構成もよい。
【００８６】
＜第７５の実施の形態＞
図８１に示す本発明を実施するための第７５の実施の形態において携帯電話等の下げ具３８６は、左上側部にロープストッパー３８８を設け、右上側部に設けられたロープストッパー３８９を設けてなるＭＤプレイヤーからなる携帯電話等３８７と、ロープストッパー３８８とロープストッパー３８９に通し首掛けループ部３を形成してなる、両端に通し端飾り１６２と１６３を設けてなるロープ３９０とからなっている。
このように、携帯電話等に固定された移動係留体（ロープストッパーなど）を、ロープに移動係留可能に設けてなる構成も、本発明の技術的範疇に含まれるものである。
ロープ３９０は全体は細いワイヤで構成され、首掛け部位は太いソフト部材３９１が設けられている。
ソフト部材３９１を好みの形に塑性変形させることができる部材とするのもよい。
また、前記構成を全て含んだ携帯電話等を形成しているものでもある。
【００８７】
＜第７６の実施の形態＞
図８２に示す本発明を実施するための第７６の実施の形態において携帯電話等の下げ具３９４は、前記弟７５の実施の形態のものの構成において、ロープストッパー３８８、３８９に変えてロープストッパー３９５を上部に設けた携帯電話等３９６を形成した点にある。
ロープストッパーｂ３９５は左ロープ通し穴、右ロープ通し穴（図示せず）を設けた、ストッパー本体３９６と、該３９６内に付勢状態で設けられた二つのロープと押しあなを有する可動体２３とからなっている。
このような構成も前記実施の形態７５と同じような技術的範疇を有するものである。
【００８８】
＜第７７の実施の形態＞
図８３に示す本発明を実施するための第７７の実施の形態において携帯電話等の下げ具３９９は、携帯電話等７０１の背部上部から前方の湾曲せり出すように設けた平板形態の下げ部４００と、この下げ部４００の上部に固定された移動係留体５と、この移動係留体５に通されたロープ２とからなっている。
また、携帯電話等７０１は携帯電話等本体４０２、下げ具３９９、移動係留体５とから構成されていると言うこともできる。
【００８９】
＜第７８の実施の形態＞
図８４に示す本発明を実施するための第７８の実施の形態において携帯電話等の下げ具４０４は、携帯電話等７０５の背部に設けたロープを滑り摩擦挟持する右ロープ挟持部４０６、左ロープ挟持部４０７と、該４０６、４０７に通されたロープ２とからなっている。
また、携帯電話等７０５は携帯電話等本体４０２、右ロープ挟持部４０６、左ロープ挟持部４０７とから構成されていると言うこともできる。
【００９０】
＜第７９の実施の形態＞
図８５に示す本発明を実施するための第７９の実施の形態において携帯電話等の下げ具４１０は、携帯電話等７を上部から差込み収納セットするケース４１１と、このケース４１１の上部に設けた移動係留体５と、この移動係留体５に通されたロープ２とからなっている。携帯電話等７はケースから出し入れできる。
ケース４１１と、このケース４１１の上部に設けた移動係留体５でケースつき移動係留体を形成している。
移動係留体はケースの背部に設けるのも良い。
【００９１】
＜第８０の実施の形態＞
図８６に示す本発明を実施するための第８０の実施の形態において携帯電話等の下げ具４１４は、携帯電話等７の背部に該７を摩擦回動して好みの傾きに係止できるよう回動部４１５が設けられ、この回動部４１５に移動係留体５が固定され、移動係留体５にロープ２が通されている。
このような回動部と移動係留体をケース４１１に設けてなるものもよい。
【００９２】
＜第８１の実施の形態＞
図８７に示す本発明を実施するための第８１の実施の形態において携帯電話等の下げ具４１７は、ケース４１８と、該４１８の左右側上部にロープストッパー３８８、３８９と、該３８８、３８９に通されたロープ２とからなっている。
ケース４１８と左右側上部にロープストッパー３８８、３８９とでケースつき移動係留体を形成している。
ケース上部から携帯電話等を出し入れする。
【００９３】
＜第８２の実施の形態＞
図８８に示す本発明を実施するための第８２の実施の形態において前記本発明を実施するための第１の実施の形態の構成と主に異なる点は、移動係留体５に電波信号、磁気信号、光信号などの信号発信部４１９を設け、この信号発信部４１９から携帯電話等７のイヤホン接続部４２４に接続する接続端子４２０を設けてなる携帯電話等の下げ具４２１を形成した点にある。
信号発信部４２０の信号はイヤホン４２２の受信部４２３で受信されイヤホン４２２が作動するようになっている。
【００９４】
＜第８３の実施の形態＞
図８９に示す本発明を実施するための第８３の実施の形態において携帯電話４２６は、蓋３５６の内側に粘着部からなる係止部４２７を設けた構成となっている。
係止部４２７により、携帯電話４２６を耳や頬骨あたりにくっ付けてフリーハンドで使用できるようになっている。
【００９５】
＜第８４の実施の形態＞
図９０に示す本発明を実施するための第８４の実施の形態において携帯電話４２９は、蓋３５６の上部に耳に掛けるための横突出棒枠体の一部を上方に凹形成してなる耳掛け部４３０を設けた構成となっている。
係止部３０により、携帯電話４２９を耳に掛けてフリーハンドで使用できるようになっている。
【００９６】
＜第８５の実施の形態＞
図９１に示す本発明を実施するための第８５の実施の形態において前記本発明を実施するための第１の実施の形態と主に異なる点は、ＩＣカードや名札（両者を兼用するものも有る）などのカード４３３を下げ置き且つ携帯電話等７の裏側に隠せ置くことができるようにしてなるカード下手段４３４を設けてなる携帯電話等の下げ具４３５を形成した点にある。
カード下手段４３４は、ロープストッパー４３６と、このロープストッパー４３６に通されたロープ４３７と、このロープ４３７の上端に設けられた磁石からなる抜け阻止玉３４８（面ファスナでもよい）とからなっている。
抜け阻止玉３４８は上げた状態では、首掛けループ部３に設けた磁着部材１６１（面ファスナでもよい）にくっ付け保持できるようになっている。
このロープストッパー方式によると、携帯電話の下に名札を見えるように留め置き表示することが可能である。
カード下手段は上記構成以外に、スプリング３４５形態によるもの、付勢巻取り手段２０１形態ものなどの形態がある。
また、カードを吊り下げる形態は、ワイヤでカードにあいた穴で直接吊る、クリップで吊る、カードケースをワイヤで吊り該ケースにカードを収納吊るなど多様な形態がある。
【００９７】
＜第８６の実施の形態＞
図９２に示す本発明を実施するための第８６の実施の形態において前記本発明を実施するための第８５の実施の形態と主に異なる点は、ロープストッパー５の中央に縦に貫通させたロープ通し部（図示せず）を形成し、ロープストッパー５の上部にロープストッパー４６を固定した形態とし、このロープストッパー４６にワイヤ４３７を通してなる携帯電話等首下げ具４４２を形成した点にある。
ロープストッパー４６とワイヤ４３７でカード下手段４４１を形成している。
【００９８】
＜第８７の実施の形態＞
図９３に示す本発明を実施するための第８７の実施の形態において携帯電話等の下げ具４４４は、透明ビニール製のケース本体４４５、このケース本体４４５の上部開口部位を密封するためのジッパー部４４６とでなる防水ケース４４７と、ケース本体４４５に接着や融着などにより取付けられたロープストッパー３０４と、このロープストッパー３０４に通されたロープ２とからなっている。
本実施形態の技術思想は、防水ケース４４７にロープストッパーを含む移動係留体を設けたところにある。したがって、本発明の特許請求の範囲は、「ロープ、このロープを通すとともに該ロープ上を移動させることができ且つ好みの位置に係留することができるロープ係留部を有する移動係留体と、この移動係留体により下げられた防水ケースとからなることを特徴とする携帯電話等の下げ具。
この移動係留体に防水ケースを下げる形態は、前述した全実施の形態に示した構成のうち、携帯電話等を防水ケースに置き換えてなる下げ形態（直接移動係留体を防水ケースに接着などにより固定するものを含む）である。
図のように防水内袋４４８に携帯電話等を収納しての二重ケースとするのがよい。
【００９９】
＜第８８の実施の形態＞
図９４に示す本発明を実施するための第８８の実施の形態において携帯電話等の下げ具４５０は、移動係留体３５に名札カードを入れたカードケース４５１をセットしてなるものである。
【０１００】
＜第８９の実施の形態＞
図９５に示す本発明を実施するための第８９の実施の形態において携帯電話等の下げ具４５４は、移動係留体５を係留するワイヤ２００、２００と、このワイヤ２００、２００のその下部の夫々を付勢巻き取っている付勢巻取り手段２０１ａ、２０１ｂからなる付勢巻取り体４５５と、ワイヤ２００、２００の上部端を繋ぐソフト形態で塑性変形させることができるソフト塑性変形態４５６とからなっている。
このような形態とすることにより、ワイヤ２００、２００（ロープ含む）の下への垂れ下がりを無くすこと出来る。
【０１０１】
＜第９０の実施の形態＞
図９６に示す本発明を実施するための第９０の実施の形態において前記本発明を実施するための第１の実施の形態と主に異なる点は、ロープ４５８の下方両側が弾性部材によりＵ字形の上がり形態の弾性上がり部４５９ａ、４５９ｂに形成されてなる携帯電話等の下げ具４６０を形成した点にある。
弾性上がり部４５９ａ、４５９ｂは親指と手で挟んで真直ぐに延ばし、移動係留体５を真直ぐに延びた弾性上がり部４５９ａ、４５９ｂ上を移動させることができる。
延びた弾性上がり部４５９ａ、４５９ｂは延ばしている手を離すとその付勢力によりＵ字形状になる。
これにより、ロープ４５８の下方が垂れ下がることがない、使用しやすいものにできる。
このように、手で真直ぐに延ばすことができるとともにその手を離すと元の形状に戻る形状記憶的な形態には、Ｕ字形状にとどまらず、渦巻き形態、波型形態、コイル形態など多様な形態がある。
また、ロープの下方が解け容易によじり合わさるようにしてなるものもよい。
【０１０２】
＜第９１の実施の形態＞
図９７に示す本発明を実施するための第９１の実施の形態において前記本発明を実施するための第９０の実施の形態と主に異なる点は、主に雨をよける防水カバー４６３を取付けたものである。
防水カバー４６３は、一枚のシートを略二つ折り形態として前カバー４６４と後ろカバー４６５を形成し、折り部中央にロープ通し穴４６７を設けたものである。
【産業上の利用可能性】
【０１０３】
本発明は、ループタイ、ネックストラップ、ロープストッパー、携帯電話、携帯音楽プレーヤを製造する産業で利用される。
【図面の簡単な説明】
【０１０４】
【図１】本発明の第１の実施の形態のロープに取付けた状態図。
【図２】本発明の第１の実施の形態のロープに取付けた状態側面図および背面図。
【図３】本発明の第１の実施の形態の移動係留体の断面図。
【図４】本発明の第２の実施の形態のロープに取付けた状態側面図および背面図。
【図５】本発明の第３の実施の形態の動作側面図。
【図６】本発明の第４の実施の形態のロープに取付けた状態側面図。
【図７】本発明の第５の実施の形態の正面図および側面図。
【図８】本発明の第６の実施の形態の平面図。
【図９】本発明の第７の実施の形態のロープに取付けた状態正面図。
【図１０】本発明の第８の実施の形態のロープに取付けた状態平面図および側面図。
【図１１】本発明の第９の実施の形態のロープに取付けた状態背面図。
【図１２】本発明の第１０の実施の形態のロープに取付けた状態背面図。
【図１３】本発明の第１１の実施の形態の断面図。
【図１４】本発明の第１２の実施の形態のロープに取付けた状態側面図。
【図１５】本発明の第１３の実施の形態のロープに取付けた状態側面図。
【図１６】本発明の第１４の実施の形態のロープに取付けた状態側面図。
【図１７】本発明の第１５の実施の形態のロープに取付けた状態側面図。
【図１８】本発明の第１６の実施の形態のロープに取付けた状態側面図。
【図１９】本発明の第１７の実施の形態の移動係留体と移動係留体取付け部の正面図。
【図２０】本発明の第１７の実施の形態の連結状態図。
【図２１】本発明の第１７の実施の形態のロープに取付けた状態側面図。
【図２２】本発明の第１８の実施の形態のロープに取付けた状態側面図。
【図２３】本発明の第１９の実施の形態のロープに取付けた状態側面図。
【図２４】本発明の第２０の実施の形態のロープに取付けた状態側面図。
【図２５】本発明の第２１の実施の形態のロープに取付けた状態側面図。
【図２６】本発明の第２２の実施の形態のロープに取付けた状態側面図。
【図２７】本発明の第２３の実施の形態のロープに取付けた状態側面図。
【図２８】本発明の第２４の実施の形態の正面図。
【図２９】本発明の第２５の実施の形態の使用状態図。
【図３０】本発明の第２６の実施の形態の使用状態図。
【図３１】本発明の第２７の実施の形態の使用状態図。
【図３２】本発明の第２８の実施の形態の使用状態図。
【図３３】本発明の第２９の実施の形態の使用状態図。
【図３４】本発明の第３０の実施の形態の使用状態図。
【図３５】本発明の第３１の実施の形態の使用状態図。
【図３６】本発明の第３２の実施の形態の正面図。
【図３７】本発明の第３２の実施の形態の組立分解面。
【図３８】本発明の第３３の実施の形態の組立分解面および組立図。
【図３９】本発明の第３４の実施の形態の組立分解面および組立図。
【図４０】本発明の第３５の実施の形態の正面図。
【図４１】本発明の第３６の実施の形態の部分断面組立分解面および部分断面組立図。
【図４２】本発明の第３７の実施の形態のネクタイとの使用状態例図。
【図４３】本発明の第３８の実施の形態の使用状態図。
【図４４】本発明の第３９の実施の形態の使用状態図。
【図４５】本発明の第４０の実施の形態の側面図および正面図。
【図４６】本発明の第４１の実施の形態の側面図および正面図。
【図４７】本発明の第４２の実施の形態の側面図および正面図。
【図４８】本発明の第４３の実施の形態の側面図および正面図。
【図４９】本発明の第４４の実施の形態の側面図および正面図。
【図５０】本発明の第４５の実施の形態の側面図および正面図。
【図５１】本発明の第４６の実施の形態の側面図および正面図。
【図５２】本発明の第４７の実施の形態の操作図。
【図５３】本発明の第４８の実施の形態の側面図および正面図。
【図５４】本発明の第４９の実施の形態の側面図および正面図。
【図５５】本発明の第５０の実施の形態の操作図。
【図５６】本発明の第５１の実施の形態の組立分解および組立図。
【図５７】本発明の第５２の実施の形態の組立図。
【図５８】本発明の第５３の実施の形態の組立図。
【図５９】本発明の第５４の実施の形態の組立図。
【図６０】本発明の第５５の実施の形態の組立図。
【図６１】本発明の第５６の実施の形態の組立図。
【図６２】本発明の第５７の実施の形態の組立図。
【図６３】本発明の第５８の実施の形態の組立図。
【図６４】本発明の第５９の実施の形態の部品図および組立図。
【図６５】本発明の第６０の実施の形態の部品図および組立図。
【図６６】本発明の第６１の実施の形態の部品図および組立図。
【図６７】本発明の第６２の実施の形態の部品図および組立図。
【図６８】本発明の第６３の実施の形態の部品図および組立図。
【図６９】本発明の第６４の実施の形態の使用状態図。
【図７０】本発明の第６５の実施の形態の組立図。
【図７１】本発明の第６６の実施の形態の組立図。
【図７２】本発明の第６７の実施の形態の組立図。
【図７３】本発明の第６８の実施の形態の組立図。
【図７４】本発明の第６９の実施の形態の正面図。
【図７５】本発明の第７０の実施の形態の正面図。
【図７６】本発明の第７１の実施の形態の正面図。
【図７７】本発明の第７２の実施の形態の使用状態図。
【図７８】本発明の第７３の実施の形態の使用状態図。
【図７９】本発明の第７４の実施の形態の組立正面図および組立側面図。
【図８０】本発明の第６９の実施の形態の操作状態図。
【図８１】本発明の第７５の実施の形態の正面図。
【図８２】本発明の第７６の実施の形態の正面図。
【図８３】本発明の第７７の実施の形態の側面図および背面図。
【図８４】本発明の第７８の実施の形態の背面図。
【図８５】本発明の第７９の実施の形態の正面図。
【図８６】本発明の第８０の実施の形態の動作状態を示す背面図。
【図８７】本発明の第８１の実施の形態の正面図。
【図８８】本発明の第８２の実施の形態の使用状態図。
【図８９】本発明の第８３の実施の形態の使用状態図。
【図９０】本発明の第８４の実施の形態の使用状態図。
【図９１】本発明の第８５の実施の形態の使用状態図。
【図９２】本発明の第８６の実施の形態のロープを省略した側面図および使用状態図。
【図９３】本発明の第８７の実施の形態の側面図。
【図９４】本発明の第８９の実施の形態の正面図および側面図。
【図９５】本発明の第９０の実施の形態の正面図および使用状態図。
【図９６】本発明の第９１の実施の形態の正面図および使用状態図。
【図９７】本発明の第９２の実施の形態の正面図および使用状態図。
【符号の説明】
【０１０５】
１：携帯電話等の下げ具、
２：ロープ、
３：首掛けループ部、
４：ロープ係留部、
５：移動係留体、
６：装飾体、
７：携帯電話等、
８：携帯電話等取付け手段、
９：抜け防止部材、
１０：抜け防止部材、
１１：細いワイヤ、
１４：移動係留体、
１５：ロープロック部、
１６：ロープストッパー、
１８ａ、１８ｂ：固定ロープ通し孔、
１９ａ、１９ｂ：固定ロープ通し孔、
２０：ストッパー本体、
２１ａ、２１ｂ：可動ロープ通し孔、
２２ａ、２２ｂ：可動ロープ通し孔、
２３：可動体、
２４：付勢手段、
２５：ロープロック部、
２７：帯状下げ部材、
２８：携帯電話等取付け手段、
２９：携帯電話等首下げ具、
３０：帯状部材取付け部、
３３：ワイヤ入れ口、
３４：携帯電話等取付け手段、
３５：移動係留体、
３６：繋がり部、
３７：取付け部本体、
３８ａ、３８ｂ：嵌合突起、
３９：開閉部、
４０：嵌る嵌合、
４１：嵌合突起、
４２：名札、
４３：クリップ、
４４：携帯電話等首下げ具、
４６：ロープストッパー、
４７ａ、４７ｂ：固定ロープ通し孔、
４８：ストッパー本体、
４９：可動ロープ通し孔、
５０：可動体、
５１：付勢手段、
５２：携帯電話等取付け手段、
５４：移動係留体、
５６：ストッパー本体、
５７：可動体、
５８：移動係留体、
５９：携帯電話等首下げ具、
６１：移動係留体、
６２：移動係留体本体、
６３：ロープ留部、
６５：携帯電話等首下げ具、
６６：移動係留体、
６８：携帯電話等首下げ具、
６９：襟当て部、
７１：ロープストッパー、
７２：ネジ、
７３：ネジと通し穴、
７４：ネジ受け穴、
７５：携帯電話等首下げ具、
７６：携帯電話等取付け手段、
７７：移動係留体、
７８：着脱連結具、
８０：携帯電話等首下げ具、
８１：ロープ、
８２：移動係留体、
８３：抜け止め、
８５：携帯電話等首下げ具、
８６：ケース、
８７：ロープストッパーツ付きケース、
８９：携帯電話等首下げ具、
９０：携帯電話等取付け手段付き移動係留体、
９１：移動係留体取付け部付き携帯電話等、
９２：携帯電話等本体、
９３：移動係留体取付け部、
９４：粘着部、
９５：移動係留体取付け部付き携帯電話等、
９６：携帯電話等取付け手段付き移動係留体、
９７：フック部、
９８：嵌合棒体、
９９：嵌合棒体、
１００：雄嵌合部、
１０１：メス嵌合部、
１０２：基板、
１０３：嵌り支持部、
１０４：フック受け部、
１０５：携帯電話等本体、
１０８：携帯電話等取付け手段付き移動係留体、
１１０：移動係留体取付け部付き携帯電話等、
１１１：突起、
１１２：移動係留体取付け部、
１１３：突起嵌り部、
１１５：携帯電話等取付け手段付き移動係留体、
１１６：移動係留体取付け部付き携帯電話等、
１１７：雄嵌合部、
１１８：押し突起、
１１９：移動係留体取付け部、
１２１：携帯電話等取付け手段付き移動係留体、
１２２：移動係留体取付け部付き携帯電話等、
１２３：安全ピン、
１２４：移動係留体取付け部、
１２６：携帯電話等取付け手段付き移動係留体、
１２７：移動係留体取付け部付き携帯電話等、
１２８：携帯電話等取付け手段、
１２９：移動係留体取付け部、
１３０：折れ嵌合片、
１３１：受け凹嵌合部、
１３３：移動係留体取付け部付き携帯電話等、
１３４：移動係留体取付け部、
１３６：名札付き移動係留体、
１３７：名札ケース、
１３８：携帯電話等の下げ具、
１４０：携帯電話等首下げ具、
１４１：雌連結具、
１４２：雄連結具、
１４３：携帯電話等吊り下げ部、
１４４：吊られ側係合手段、
１４５：移動係留体側係合手段、
１４７：移動係留体側係合手段、
１４８：携帯電話等首下げ具、
１４９：面ファスナループ側、
１５０：移動係留体側係合手段、
１５１：吊られ側係合手段、
１５２：携帯電話等の下げ具、
１５４ａ、１５４ｂ：フック、
１５５：携帯電話等の下げ具、
１５７ａ、１５７ｂ：端飾り、
１５８：面ファスナフック側、
１５９：クリップ、
１６０：携帯電話等の下げ具、
１６１、１６１ａ、１６１ｂ：磁着部材、
１６２：端飾り、
１６３：端飾り、
１６４：携帯電話等の下げ、
１６５：磁着板、
１６６：ロープ、
１６７：可動部、
１６８：ストッパー本体、
１６９：ロープストッパー、
１７０：ループ面ファスナ、
１７１：粘着剤、
１７２：フック面ファスナ、
１７３：携帯電話等の下げ具、
１７５：掛け穴部、
１７６：掛け部、
１７７：ソフト部材、
１７８：携帯電話等の下げ具、
１８０：磁石、
１８１：鉄板、
１８２：突起、
１８３：携帯電話等の下げ具、
１８４：ロープ、
１８５：首掛けループ部、
１８６ａ、１８６ｂ：係留支持案内ワイヤ、
１８７：携帯電話等の下げ具、
１９０：鉄製囲、
１９１：係止手段、
１９２：鉄製囲、
１９３：係止手段、
１９４：携帯電話等の下げ具、
１９５：ロープストッパー、
１９６：携帯電話等の下げ具、
１９７：ネクタイ、
１９８：携帯電話保持部、
２００：ワイヤ、
２０１、２０１ａ、２０１ｂ：付勢巻取り手段、
２０２：携帯電話等の下げ具、
２０５：携帯電話等の下げ具、
２１０：携帯電話等の下げ具、
２１１：上部の接着部、
２１２：下部の接着部、
２１３：下方に折り目、
２１４：連結体、
２１５：充電口、
２１７：くびれ部、
２１８：連結体、
２１９：携帯電話等首下げ具、
２２１：携帯電話等首下げ具、
２２２ａ、２２２ｂ：掛け手段取付け穴、
２２３：携帯電話等、
２２４：掛け手段、
２２６：携帯電話等、
２２７：掛け手段取り付け部、
２２８：掛け手段、
２３０：携帯電話等、
２３１：掛け手段支持部、
２３２：掛け手段、
２３４：携帯電話等、
２３５：掛け手段取付け部、
２３６：掛け手段、
２３８：携帯電話等、
２３９：掛け手段、
２４１：移動係留体付きケース、
２４２：ケース本体、
２４３：掛け手段、
２４５：移動係留体付きケース、
２４６：掛け手段、
２４８：携帯電話等首下げ具、
２４９：連結体、
２５１：携帯電話等首下げ具、
２５２：ベルト、
２５３：ベルト付勢巻き取り手段
２５５：ロープストッパー、
２５６：下げ部、
２５７：携帯電話等取付け手段、
２５８：ロープ掛け部、
２５９：折り部、
２６０：携帯電話等首下げ具、
２６２：吊るされる側連結部、
２６３：嵌合連結部、
２６４：ロープストッパー、
２６５：連結部本体、
２６６ａ、２６６ｂとから：、
２６７ａ、２６７ｂ：連結棒体、
２６８ａ、２６８ｂ：フック、
２６９：携帯電話首下げ具、
２７０：移動係留体と携帯電話等の連結具、
２７１：連結具本体、
２７２：移動係留体取付け部、
２７３：折り目、
２７４：落下防止部、
２７５ａ、２７５ｂ：面ファスナ、
２７６：ロープ通し孔、
２７８：移動係留体と携帯電話等の連結具、
２７９：携帯電話等首下げ具、
２８１：ロープストパー、
２８２：携帯電話等首下げ具、
２８３：ロープ掛け部、
２８５：移動係留体と携帯電話等の連結具、
２８６：携帯電話等首下げ具、
２８９：ソフトパット、
２９０：ロープストッパー、
２９１：携帯電話等首下げ具、
２９２：添え板支持部、
２９３：添え板、
２９４：ロープストッパー、
２９５：携帯電話等首下げ具、
２９６：下部添え板支持部、
２９８：添え板、
２９９：携帯電話等の下げ具、
３０１：ロープストッパー、
３０２：携帯電話等の下げ具、
３０４：ロープストッパー、
３０５：下げ部、
３０６：下げ部支持部品、
３０７：携帯電話等の下げ具、
３０８：下げ部、
３０９：連結軸、
３１０：携帯電話等取付け手段、
３１１：携帯電話等の下げ具、
３１２：ロープストッパー、
３１５：イヤホン、
３１６：マイク、
３１７：クリップ、
３１８：接続端子、
３１９：送信ケーブル、
３２０：ケーブル係止部、
３２１：携帯電話等の下げ具、
３２２：イヤホン接続部、
３２４：イヤホン装置、
３２５：首掛け部、
３２６：送信ケーブル、
３２７：イヤホン、
３２８：イヤホン、
３２９：接続ケーブル、
３３０：ロープ挿入口、
３３２：下がり体、
３３３：フック部、
３３４：ソフトケース、
３３５：下げ具、
３３６：フック掛け部、
３３８：固定手段、
３３９：連結部、
３４０：連結部、
３４１：送信ケーブル、
３４２：携帯電話等提げ具、
３４４：接続ケーブル、
３４５：弱付勢スプリング、
３４７：スプリング材、
３４８：スプリング材、
３４９：携帯電話等提げ具、
３５１：携帯電話装置、
３５２：操作キー、
３５３：操作部、
３５４：主ディスプレー、
３５５：サブディスプレー、
３５６：蓋部、
３５７：携帯電話本体、
３５８：着信ＯＮボタン、
３５９：着信ＯＦＦボタン、
３６０：着信ＯＮボタン、
３６１：着信ＯＦＦボタン、
３６２：紐、
３６３：肩掛け体、
３６４：肩掛け体、
３６５：携帯電話等の下げ具、
３６７：リング首掛け体、
３６８：携帯電話等の下げ具、
３６９：携帯電話、
３７０：支持部、
３７１：支持部、
３７２：イヤホン装置、
３７３：携帯電話等の下げ具、
３７５：イヤホン装置、
３７６：携帯電話本体、
３７７：移動係留体、
３７９ａ、３７９ｂ：ワイヤ通り穴、
３８０：ワイヤ分岐部、
３８１：ワイヤ合わせストッパー、
３８２ａ、３８２ｂ：ワイヤ、
３８３：携帯電話等の下げ具、
３８６：携帯電話等の下げ具、
３８７：携帯電話等、
３８８：ロープストッパー、
３８９：ロープストッパー、
３９０：ロープ、
３９１：ソフト部材、
３９４：携帯電話等の下げ具、
３９５：ロープストッパー、
３９６：携帯電話等、
３９９：携帯電話等の下げ具、
４００：下げ部、
４０４：携帯電話等の下げ具、
４０５：携帯電話等、
４０６：右ロープ挟持部、
４０７：左ロープ挟持部、
４１０：携帯電話等の下げ具、
４１１：ケース、
４１４：携帯電話等の下げ具、
４１５：回動部、
４１７：携帯電話等の下げ具、
４１８：ケース、
４１９：信号発信部、
４２０：接続端子、
４２１：携帯電話等の下げ具、
４２２：イヤホン、
４２３：受信部、
４２４：イヤホン接続部、
４２６：携帯電話、
４２７：係止部、
４２９：携帯電話、
４３０：耳掛け部、
４３３：カード、
４３４：カード下手段、
４３５：携帯電話等の下げ具、
４３６：ロープストッパー、
４３７：ロープ、
４３８：抜け阻止玉、
４４１：カード下手段、
４４２：携帯電話等首下げ具、
４４４：携帯電話等の下げ具、
４４５：ケース本体、
４４６：ジッパー部、
４４７：防水ケース、
４４８：防水内袋、
４５０：携帯電話等の下げ具、
４５１：カードケース、
４５４：携帯電話等の下げ具、
４５５：付勢巻取り体、
４５６：ソフト塑性変形態、
４５８：ロープ、
４５９ａ、４５９ｂ：弾性上がり部、
４６０：携帯電話等の下げ具、
４６３：防水カバー。
【図７９】
2006055627.tif 000003
【図１】
2006055627.tif 000004
【図２】
2006055627.tif 000005
【図３】
2006055627.tif 000006
【図４】
2006055627.tif 000007
【図５】
2006055627.tif 000008
【図６】
2006055627.tif 000009
【図７】
2006055627.tif 000010
【図８】
2006055627.tif 000011
【図９】
2006055627.tif 000012
【図１０】
2006055627.tif 000013
【図１１】
2006055627.tif 000014
【図１２】
2006055627.tif 000015
【図１３】
2006055627.tif 000016
【図１４】
2006055627.tif 000017
【図１５】
2006055627.tif 000018
【図１６】
2006055627.tif 000019
【図１７】
2006055627.tif 000020
【図１８】
2006055627.tif 000021
【図１９】
2006055627.tif 000022
【図２０】
2006055627.tif 000023
【図２１】
2006055627.tif 000024
【図２２】
2006055627.tif 000025
【図２３】
2006055627.tif 000026
【図２４】
2006055627.tif 000027
【図２５】
2006055627.tif 000028
【図２６】
2006055627.tif 000029
【図２７】
2006055627.tif 000030
【図２８】
2006055627.tif 000031
【図２９】
2006055627.tif 000032
【図３０】
2006055627.tif 000033
【図３１】
2006055627.tif 000034
【図３２】
2006055627.tif 000035
【図３３】
2006055627.tif 000036
【図３４】
2006055627.tif 000037
【図３５】
2006055627.tif 000038
【図３６】
2006055627.tif 000039
【図３７】
2006055627.tif 000040
【図３８】
2006055627.tif 000041
【図３９】
2006055627.tif 000042
【図４０】
2006055627.tif 000043
【図４１】
2006055627.tif 000044
【図４２】
2006055627.tif 000045
【図４３】
2006055627.tif 000046
【図４４】
2006055627.tif 000047
【図４５】
2006055627.tif 000048
【図４６】
2006055627.tif 000049
【図４７】
2006055627.tif 000050
【図４８】
2006055627.tif 000051
【図４９】
2006055627.tif 000052
【図５０】
2006055627.tif 000053
【図５１】
2006055627.tif 000054
【図５２】
2006055627.tif 000055
【図５３】
2006055627.tif 000056
【図５４】
2006055627.tif 000057
【図５５】
2006055627.tif 000058
【図５６】
2006055627.tif 000059
【図５７】
2006055627.tif 000060
【図５８】
2006055627.tif 000061
【図５９】
2006055627.tif 000062
【図６０】
2006055627.tif 000063
【図６１】
2006055627.tif 000064
【図６２】
2006055627.tif 000065
【図６３】
2006055627.tif 000066
【図６４】
2006055627.tif 000067
【図６５】
2006055627.tif 000068
【図６６】
2006055627.tif 000069
【図６７】
2006055627.tif 000070
【図６８】
2006055627.tif 000071
【図６９】
2006055627.tif 000072
【図７０】
2006055627.tif 000073
【図７１】
2006055627.tif 000074
【図７２】
2006055627.tif 000075
【図７３】
2006055627.tif 000076
【図７４】
2006055627.tif 000077
【図７５】
2006055627.tif 000078
【図７６】
2006055627.tif 000079
【図７７】
2006055627.tif 000080
【図７８】
2006055627.tif 000081
【図８０】
2006055627.tif 000082
【図８１】
2006055627.tif 000083
【図８２】
2006055627.tif 000084
【図８３】
2006055627.tif 000085
【図８４】
2006055627.tif 000086
【図８５】
2006055627.tif 000087
【図８６】
2006055627.tif 000088
【図８７】
2006055627.tif 000089
【図８８】
2006055627.tif 000090
【図８９】
2006055627.tif 000091
【図９０】
2006055627.tif 000092
【図９１】
2006055627.tif 000093
【図９２】
2006055627.tif 000094
【図９３】
2006055627.tif 000095
【図９４】
2006055627.tif 000096
【図９５】
2006055627.tif 000097
【図９６】
2006055627.tif 000098
【図９７】
2006055627.tif 000099